(57)【要約】【課題】個人映像の検索・編集を高速に効率よく行って映像媒体を作成し、サービス品質の向上を図る。【解決手段】映像蓄積制御部２２−１〜２２−ｎは、定点カメラ２１−１〜２１−ｎによって撮影した移動物体の映像を、撮影時間のタイムスタンプと共に蓄積する。タイム計測部３−１〜３−ｎは、計測ポイントに配置して、移動物体の通過時間を計測し、移動物体の識別情報と通過時間とを含む計測タイム情報を蓄積する。映像検索・編集部４は、計測タイム情報に、映像記録装置２−１〜２−ｎに蓄積された映像データのタイムスタンプを関連付けて、移動物体の映像を自動検索し、検索した移動物体の映像を編集する。【選択図】　　　　図１
2004112153.tif 000002
【特許請求の範囲】
【請求項１】
移動物体を撮影し、映像の検索・編集処理を行う映像処理システムにおいて、
定点カメラと、前記定点カメラによって撮影された移動物体の映像を、撮影時間のタイムスタンプと共に蓄積する映像蓄積制御部と、から構成される映像記録装置と、
計測ポイントに配置して、移動物体の通過時間を計測し、移動物体の識別情報と通過時間とを含む計測タイム情報を蓄積するタイム計測部と、
前記計測タイム情報に、前記映像記録装置に蓄積された映像データの前記タイムスタンプを関連付けて、移動物体の映像を自動検索し、検索した移動物体の映像を編集する映像検索・編集部と、
を有することを特徴とする映像処理システム。
【請求項２】
前記映像検索・編集部は、前記計測タイム情報から生成したタイムスタンプナンバを含むインデックスファイルを生成し、前記インデックスファイル上で映像データ内の特定の移動物体の検索を行うことを特徴とする請求項１記載の映像処理システム。
【請求項３】
前記映像検索・編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする請求項１記載の映像処理システム。
【請求項４】
１つの計測ポイント周辺に複数の前記映像記録装置を配置して、前記映像検索・編集部は、前記映像取得設定ファイルを用いて、１つの計測ポイントにもとづいて、複数の映像ファイルを取得することを特徴とする請求項３記載の映像処理システム。
【請求項５】
定点カメラで撮影した動画像データであって、撮影タイミング情報を含む映像情報と、前記定点カメラから所定距離内のポイントを被写体が通過した時刻情報及び前記被写体の識別情報が対応付けられた通過情報と、を用いて、動画像データの検索処理を行う映像処理装置において、
前記通過情報に対し、識別情報に対応する時刻情報を検索する時刻検索部と、検索した時刻情報と所定のタイミング関係にある前記撮影タイミング情報に対応する動画像データを前記映像情報から検索する映像検索部と、
を有することを特徴とする映像処理装置。
【発明の詳細な説明】
【０００１】
【発明の属する技術分野】
本発明は映像処理システムに関し、特に移動物体を撮影し、映像の検索・編集処理を行う映像処理システムに関する。
【０００２】
【従来の技術】
近年、動画像のディジタル圧縮化等に代表されるマルチメディア映像技術の発展に伴い、様々な分野で映像情報サービスが提供されており、さらなる高度化、高品質化が期待されている。
【０００３】
スポーツの分野における映像情報サービスとしては、スポーツ観戦の点から見た場合、スポーツ中継をＨＤＴＶ（ｈｉｇｈ　ｄｅｆｉｎｉｔｉｏｎ　ｔｅｌｅｖｉｓｉｏｎ）で放送したり、実況中に、圧縮されて空いた通信帯域に、データを流したりするサービスなどが行われている。
【０００４】
一方、スポーツの競技者にとっては、競技レベルの向上のためのデータ収集や大会参加の記念などといった理由で、競技中の自分の映像を所有したいという要求が高まっている。このため、大会運営側では、参加者を撮影して、競技中の映像の提供を行っているものがある。
【０００５】
例えば、時間の経過と共に競技者の位置が移動する、マラソンやトライアスロン等では、レース中に、カメラを積んだ複数台の車両で、競技者の移動を追跡して映像を撮影し、大会終了後に、競技全体の流れとして個人の映像の提供（販売）を行っている。
【０００６】
従来、スポーツ分野に映像メディアを利用した技術としては、ゴルフ等のフォームの解析を行うために、被写体の映像を撮影して、動きの速度、角度、方向等の計測を行う装置などが提案されている（例えば、特許文献１）。
【０００７】
【特許文献１】
特開平８−２４２４６７号公報（段落番号〔０００９〕〜〔００１２〕，第１図）
【０００８】
【発明が解決しようとする課題】
上記のような、時間経過によって移動を伴うマラソンやトライアスロンのようなスポーツに対して、競技映像の提供を行う場合、従来の映像撮影では、カメラを積んだ車両を複数台用意するために、専用スタッフの人数が多くなり、また、カメラの数が限られるため、撮影ポイントも限られてしまうといった問題があった。
【０００９】
さらに、マラソンやトライアスロン等では、時間経過と共に参加者が分散していくので、撮影しなければならない範囲が広がってしまう。このため、従来の映像撮影では、すべての参加者をコース全域に渡ってカバーすることは非常に困難であった。
【００１０】
一方、撮影した映像の中から個人を特定して編集し、その個人専用の映像メディアを作成する場合、従来では、撮影したすべての映像の中から個人の映像を人手により確認して（具体的には、映像中のレースナンバ（ゼッケンナンバ）などを目視で確認している）、編集していたため、非常に手間のかかる作業となっていた。
【００１１】
したがって、作成され提供された映像メディアは、大会終了後長期間たっており、競技の技術力向上を目指す選手にとっては、必ずしも役に立つものとはならず、また、映像メディアの価格も高価なものになっていた。
【００１２】
本発明はこのような点に鑑みてなされたものであり、個人映像の検索・編集を高速に効率よく行って映像メディアを作成し、サービス品質の向上を図った映像処理システムを提供することを目的とする。
【００１３】
【課題を解決するための手段】
本発明では上記課題を解決するために、図１に示すような、移動物体を撮影し、映像の検索・編集処理を行う映像処理システム１において、定点カメラ２１−１〜２１−ｎと、定点カメラ２１−１〜２１−ｎによって撮影された移動物体の映像を、撮影時間のタイムスタンプと共に蓄積する映像蓄積制御部２２−１〜２２−ｎと、から構成される映像記録装置２−１〜２−ｎと、計測ポイントに配置して、移動物体の通過時間を計測し、移動物体の識別情報と通過時間とを含む計測タイム情報を蓄積するタイム計測部３−１〜３−ｎと、計測タイム情報に、映像記録装置２−１〜２−ｎに蓄積された映像データのタイムスタンプを関連付けて、移動物体の映像を自動検索し、検索した移動物体の映像を編集する映像検索・編集部４と、を有することを特徴とする映像処理システム１が提供される。
【００１４】
ここで、映像蓄積制御部２２−１〜２２−ｎは、定点カメラ２１−１〜２１−ｎによって移動物体を撮影し、撮影時間のタイムスタンプと共に撮影した映像を蓄積する。タイム計測部３−１〜３−ｎは、計測ポイントに配置して、移動物体の通過時間を計測し、移動物体の識別情報と通過時間とを含む計測タイム情報を蓄積する。映像検索・編集部４は、計測タイム情報に、映像記録装置２−１〜２−ｎに蓄積された映像データのタイムスタンプを関連付けて、移動物体の映像を自動検索し、検索した移動物体の映像を編集する。
【００１５】
【発明の実施の形態】
以下、本発明の実施の形態を図面を参照して説明する。図１は本発明の映像処理システムの原理図である。本発明の映像処理システム１は、映像記録装置２−１〜２−ｎ、タイム計測部３−１〜３−ｎ、映像検索・編集部４から構成されて、移動物体を撮影し、映像の検索・編集処理を行うシステムである。
【００１６】
映像記録装置２−１〜２−ｎそれぞれは、定点カメラ（固定カメラ）２１−１〜２１−ｎと、映像蓄積制御部２２−１〜２２−ｎとから構成される。映像蓄積制御部２２−１〜２２−ｎは、定点カメラ２１−１〜２１−ｎによって撮影された移動物体の映像を、撮影時間のタイムスタンプと共に蓄積する。
【００１７】
タイム計測部３−１〜３−ｎは、計測ポイントに配置して、移動物体の通過時間を計測し、移動物体の識別情報（移動物体がスポーツ競技者ならばレースＮＯ．など）と通過時間とを含む計測タイム情報を蓄積する。映像検索・編集部４は、映像記録装置２−１〜２−ｎに蓄積された映像データのタイムスタンプに、計測タイム情報を関連付けて、移動物体の映像を自動検索し、検索した計測ポイント毎の移動物体の映像を編集する。また、編集された映像をＣＤＲＯＭ等に書き込んで、映像媒体５を作成する。
【００１８】
ここで、移動物体をスポーツの競技者とし、コース上を移動する競技者の映像を撮影して映像処理を行う場合には、コース上の複数ポイントに、映像記録装置２−１〜２−ｎを配置し、タイム計測部３−１〜３−ｎも、コース上の複数の計測ポイントに配置する。そして、これらの構成要素によって、すべての競技者に対する、コース全域に渡っての映像及び計測ポイント通過時の計測タイム情報を取得する。
【００１９】
映像検索・編集部４（例えば、大会本部に設置される）は、収集したデータから、参加者個人の映像を検索し、個々の参加者の競技模様や共通映像（大会エピローグなど）を編集して、特定個人のための映像媒体（ＣＤＲＯＭなど）５を作成する。
【００２０】
なお、移動物体の通過時間を計測する装置（競技者の走破タイムを計測する装置）としては、多数提案されており、タイム計測部３−１〜３−ｎには、既存の技術を使用する。例えば、タイム計測部３−１〜３−ｎは、小型の計測チップと、データ蓄積機能を有する計時器とから構成されるシステムを用いる。
【００２１】
計測チップは、電波の送受信が可能であり、競技者の手首または足首などに装着させる。また、計時器は、コース路面上に設置して、計測チップと通信を行う。このようなシステムにより通過時間を読み取る（例えば、特開２０００−２７１２５９号公報、特開２００２−２０４１１９号公報等の従来技術を利用することができる）。
【００２２】
また、計測チップにはチップＩＤを付けておき、大会スタッフは競技者に計測チップを渡す際には、レース前にチップＩＤと各競技者レースＮＯ．とを控えて、チップＩＤとレースＮＯ．とを対応付けておく。
【００２３】
次に時間の経過と共に競技者の位置が移動するマラソンやトライアスロンのようなスポーツに対して、本発明の映像処理システム１を適用した場合の動作について以降詳しく説明する。
【００２４】
本発明では、１）自分が多く写った大会記録映像は欲しい、２）その記録映像は、記憶が鮮明なうちに次の大会より前の時期に入手したい、という参加者のニーズを実現するためのものであり、コース上の複数のポイントで撮影した全体映像から、それぞれ個人を抽出し、各個人中心の記録映像を合成編集し、かつ当日渡し可能なシステムを実現するものである（例えば、１００人以上に当日渡し可能で、個人映像生成時間は５分以内／人）。
【００２５】
図２、図３は映像処理システム１の全体構成図である。４２．１９５ｋｍのマラソンに本発明のシステムを適用した場合の全体図を示している。競技者が移動するコース上に任意の間隔で映像記録装置２−１〜２−ｎと、競技者１人、１人を識別できる通過時間を計測するタイム計測部３−１〜３−ｎとをコース上に設置する。
【００２６】
映像記録装置２−１〜２−ｎ及びタイム計測部３−１〜３−ｎは、各地点毎に独立して動作するため、システム構成上台数の制限は設けないが、フルマラソン４２．１９５ｋを考えた場合には、各地点の定点カメラは１台当たり概ね１００ｍのエリアをカバーするので、４２．１９５ｋｍを完全に隙間なくカバーしようとしたら、４２２台の機材を１００ｍ間隔に配置すればよい。
【００２７】
また、映像記録装置２−１〜２−ｎ内の映像蓄積制御部２２−１〜２２−ｎは、必ず各地点を通過するすべての参加者の映像データを記録する（フルマラソン適用例では、最大６時間程度の連続記録を想定）。
【００２８】
なお、図では、４２．１９５ｋｍのマラソンに対し、簡略化して、５ｋｍおきにタイム計測部３−１〜３−１０と、その周辺に映像記録装置２−１〜２−１０とを設置して（４０ｋｍ地点とゴール地点間は１９５ｍ間隔）、映像検索・編集部４へデータを収集している様子を示している（以降では、この配置を基本にして説明を行う）。
【００２９】
収集されるデータは、映像記録装置２−１〜２−１０では映像データであり、タイム計測部３−１〜３−１０では計測タイム情報（レースＮＯ．等の競技者の識別情報及び計測ポイントにおける通過時間）である。また、これらのデータを収集する場合には、すべてのデータを取得した地点から、映像記録装置２−１〜２−１０及びタイム計測部３−１〜３−１０の機材を順番に、車両で回収して大会本部へ運んでいく。
【００３０】
一方、映像検索・編集部４は、システム内に１個所設け（大会本部などに設ける）、各地点における映像データや計測タイム等を一元管理する。映像検索・編集部４は、大容量のディジタル映像蓄積用ハードディスク装置と、編集作業用のパーソナルコンピュータと、映像編集後の個人別映像データを提供・販売するための媒体作成装置と、から構成される。
【００３１】
なお、提供する映像媒体は、ユーザ個人の動画メディアの視聴環境により異なるので複数タイプを想定する（例えば、アナログビデオテープで提供する場合、映像検索・編集部４は、ＭＰＥＧ２形式の個人別映像データをリアルタイムデコードし、ＮＴＳＣ形式に変換した後にＶＴＲ記録する機能をサポートする必要がある）。
【００３２】
図４、図５は映像の撮影時間を示す図である。図２、図３で示したマラソンコース上に配置した映像記録装置２−１〜２−１０で撮影する映像時間を示している。
【００３３】
スタート地点においては、レース先頭の競技者から最後尾の競技者までが通過し終わるのに１０分かかっている。したがって、スタート地点を撮影する映像記録装置２−１は、先頭競技者が通過する時間から撮影を開始して、最後尾の競技者が通過し終わるまで１０分間撮影して、映像データＡを作成する。
【００３４】
５ｋｍ地点においては、レース先頭の競技者から最後尾の競技者までが通過し終わるのに２５分かかっている。したがって、５ｋｍ地点を撮影する映像記録装置２−２は、先頭競技者が通過する時間から撮影を開始して、最後尾の競技者が通過し終わるまで２５分間撮影して、映像データＢを作成する。
【００３５】
このようにして、各地点毎に競技者の映像が撮影されていく。そして、ゴールに近づくにつれ、競技者はコース上に広く分散するので、ゴール地点では、レース先頭の競技者から最後尾の競技者までが通過し終わるのに２４０分（４時間）かかっている。したがって、ゴール地点を撮影する映像記録装置２−１０は、先頭競技者が通過する時間から撮影を開始して、最後尾の競技者が通過し終わるまで２４０分間撮影して、映像データＪを作成する。
【００３６】
次に映像記録装置２−１〜２−１０及びタイム計測部３−１〜３−１０をコース上に設置して映像媒体５を作成するまでの概略動作についてフローチャートを用いて説明する。図６は本発明の概略動作を示すフローチャートである。
〔Ｓ１〕各撮影ポイントに配置された映像記録装置２−１〜２−１０の内部時計の時刻合せを行う。具体的には、蓄積映像の記録開始時間、記録終了時間、蓄積映像に付加されるタイムスタンプの記録の元になる標準時間についての時刻合せを行う。
〔Ｓ２〕コース上の撮影ポイントへ映像記録装置２−１〜２−１０を設置し（映像記録装置２−１〜２−１０の設置時には、定点カメラ２１−１〜２１−１０の撮影範囲、アングル等のファクタを決定する）、コース上の計測ポイントにタイム計測部３−１〜３−１０を設置する。
〔Ｓ３〕各撮影ポイントに配置された映像記録装置２−１〜２−１０で、各ポイントを最初に通過する競技者から、最後に通過する競技者までを定点カメラ２１−１〜２１−１０で撮影する。なお、撮影開始時刻・終了時刻は、各ポイントそれぞれの映像蓄積量を最小限にするため、それぞれの撮影ポイントで異なる。また、映像記録装置２−１〜２−１０の起動・終了の操作は、コース保全を担当する大会スタッフが行うことになる。
〔Ｓ４〕タイム計測部３−１〜３−ｎは、計測ポイント通過時に各競技者の通過時間を測定する。
〔Ｓ５〕大会スタッフは、映像記録装置２−１〜２−１０に対し、映像が蓄積された装置から順番に映像データを収集する。収集方法としては、上述したように機材そのものを直接、車両などで回収していく（または、電話／ＬＡＮ等の有線回線または無線回線を利用してのリモートファイル転送を大会本部へ向けて行ってもよい）。
〔Ｓ６〕蓄積映像データの収集作業と並行して、大会スタッフは、タイム計測部３−１〜３−１０に対し、すべての競技者の計測を終えた計測器から順番に計測タイム情報を収集する。収集方法は、ステップＳ５と同様。
〔Ｓ７〕大会本部において、収集したデータを集約する。
〔Ｓ８〕映像検索・編集部４は、個人別映像データを生成する競技者を指定し、後述の映像取得設定ファイルの情報にもとづき、各地点毎の個人別映像を、各地点毎の全体映像ファイルから検索する。
〔Ｓ９〕映像検索・編集部４は、特定競技者の映像の切り出し処理を行う。各地点におけるすべての個人別映像データの作成後、共通映像（タイトル、大会プロローグ、大会エピローグなど）と個人別映像データとを結合して編集し、大会全体の個人別映像データを作成する。
〔Ｓ１０〕映像検索・編集部４は、個人別映像データを所定の映像媒体５に書き込む。
【００３７】
図７は定点カメラの設置位置を示す図である。図８は図７をＡ方向から見た図である。図の定点カメラ２１は、通過時間を計測する計測ポイントから１００ｍ離れた位置に置かれて、計測チップ３ａを装着した競技者を撮影する例を示している。
【００３８】
ここで、１ｋｍを３分で走る競技者は、１００ｍは１８秒かかり、４２．１９５ｋｍでは、２時間６分３５秒で完走する（これは世界記録ペース）。また、１ｋｍを５分で走る競技者は、１００ｍは３０秒かかり、４２．１９５ｋｍでは、３時間３０分で完走する（これが最多時間帯であり、競技者のほとんどは、このペースで走ることが多い）。
【００３９】
したがって、計測ポイントから１００ｍ離れた位置に定点カメラ２１を設置して、３０秒間撮影したとすると、最速で走るランナーでも１８秒間撮影されることになる（最も短い個人撮影時間が１８秒である）。各計測ポイントでの撮影映像中に１８秒間、個人が映っており、５ｋｍ毎にすべてのポイントの映像が入手できれば、競技者にとっては十分に有意な情報となりうる。
【００４０】
図９は映像記録装置の構成を示す図である。映像記録装置２は、定点カメラ２１と映像蓄積制御部２２から構成され、各地点に配置して、連続した長時間の記録を行う。
【００４１】
映像蓄積制御部２２は、ＭＰＥＧ２エンコーダ２２０、端末部２２１（パソコンに該当）、から構成される。端末部２２１は、１３９４Ｉ／Ｆ部２２１ａ、ＣＰＵ２２１ｂ、ＬＡＮ　Ｉ／Ｆ部２２１ｃ、ＨＤＤ２２１ｄ、ＵＳＢ　Ｉ／Ｆ部２２１ｅから構成される。
【００４２】
ＭＰＥＧ２エンコーダ２２０は、定点カメラ２１からの映像をリアルタイムにエンコードする。また、ＭＰＥＧ２エンコーダ２２０と端末部２２１は、ＩＥＥＥ１３９４インタフェースで接続し、端末部２２１は、１３９４Ｉ／Ｆ部２２１ａを通じて、エンコード映像であるＭＰＥＧ２データを受信する。
【００４３】
ＣＰＵ２２１ｂは、ＭＰＥＧ２データをＨＤＤ２２１ｄに蓄積したり、ＬＡＮＩ／Ｆ部２２１ｃ経由で外部ＰＣ（パソコン）からのＨＤＤ２２１ｄへのアクセス制御などを行う。ＵＳＢ　Ｉ／Ｆ部２２１ｅは、マウスやキーボード、モデム等の周辺機器をシリアル・インタフェースで接続する。
【００４４】
一方、上記の映像蓄積制御部２２は本発明の映像処理装置に該当する。映像蓄積制御部２２は、定点カメラ２１で撮影した動画像データであって、撮影タイミング情報（タイムスタンプ）を含む映像情報と、定点カメラ２１から所定距離内のポイントを被写体が通過した時刻情報及び被写体の識別情報が対応付けられた通過情報（計測タイム情報）と、を用いて動画像データの検索処理を行う。
【００４５】
ＣＰＵ２２１ｂは、時刻検索部と映像検索部の機能を有する。ＣＰＵ２２１ｂは、通過情報に対し、各競技者の識別情報に対応する時刻情報を検索する。そして、検索した時刻情報と所定のタイミング関係にある撮影タイミング情報に対応する動画像データを、ＨＤＤ２２１ｄに蓄積した映像情報から検索する。
【００４６】
図１０はＨＤＤ２２１ｄの蓄積データを示す図である。コース上の計測ポイントにおける映像撮影時間と、撮影した映像の蓄積データ量とを示している。３ＭｂｐｓでＭＰＥＧ２エンコードを行った場合、計測ポイント５ｋｍでは映像撮影時間は０．５ｈであり、そのときの蓄積データ量は０．７ＧＢである。また、計測ポイント４０ｋｍでは映像撮影時間は４．０ｈであり、そのときの蓄積データ量は５．６ＧＢである。現在、ＨＤＤは大容量化されており、図に示すような蓄積データ量に対し、市販のＨＤＤで対応可能である。
【００４７】
次に個人映像検索について図１１〜図２１を用いて説明する。図１１は競技者の撮影及び通過時間の測定を行っている図である。計測ポイントＰ１にタイム計測部３が設置され、その周辺に定点カメラ２１を設置する。そして、競技者が定点カメラ２１に向かってくる方向を撮影している。図では、コース上を９人の競技者が走っており、計測ポイントＰ１をレースＮＯ．２００２の競技者が通過している様子が示されている。
【００４８】
図１２、図１３は計測タイム情報とタイムスタンプとの関連付けを示す図である。計測ポイント通過時の各競技者のレースＮＯ．及び通過時間と、映像データとを示している。
【００４９】
例えば、レースＮＯ．１００１の競技者が計測ポイントＰ１を通過したときの通過時間は００：００：０１であり、レースＮＯ．２００２の競技者が計測ポイントＰ１を通過したときの通過時間は００：００：０５である。また、映像データに対しては、計測ポイントＰ１で撮影した映像データをパケット単位で示している。１パケットは０．５ｓで、パケットヘッダとＧＯＰ（Ｇｒｏｕｐ　Ｏｆ　Ｐｉｃｔｕｒｅ）から構成される。
【００５０】
ここで、計測ポイントＰ１で００：００：００から撮影を開始した映像データと、各競技者の通過時間との関連付けについて説明する。例えば、レースＮＯ．２００２の競技者に対し、計測ポイントＰ１の通過時間は、００：００：０５であり、１パケットは０．５ｓであるから、計測ポイントＰ１に向けて撮影を開始した映像データから１０パケット目のパケットが、レースＮＯ．２００２の競技者が計測ポイントＰ１をほぼ通過している映像になる（正確には、１０パケット目のパケットは、計測ポイントＰ１の０．５秒前から通過時までの映像である）。
【００５１】
そして、このパケットのタイムスタンプは０００１０であるから（通過時間００：００：０５とタイムスタンプ０００１０が対応）、タイムスタンプ０００１０のパケットと、さらにタイムスタンプ０００１０よりも若い番号のパケットを抽出すれば、計測ポイントＰ１に向かって走ってくる、レースＮＯ．２００２の競技者の個人映像を取得することができる。
【００５２】
図１４は映像データの階層構造を示す図である。ＭＰＥＧの映像データは最上位の階層Ｌ１０がパックで構成される。階層Ｌ１１に対し、パックはパックヘッダ、システムヘッダ、パケットから構成される。階層Ｌ１２に対し、パケットはパケットヘッダとＧＯＰから構成される。階層Ｌ１３に対し、ＧＯＰはＧＯＰヘッダ、ピクチャから構成される。
【００５３】
さらに、階層Ｌ１４に対し、ピクチャは、ピクチャヘッダ、スライスから構成され、階層Ｌ１５に対し、スライスは、スライスヘッダとＭＢ（マクロブロック）から構成される。
【００５４】
次に映像検索・編集部４において、個人映像を検索する際に用いるインデックスファイルについて説明する。図１５はレースＮＯ．／チップＩＤ対応テーブルを示す図である。レースＮＯ．／チップＩＤ対応テーブルＴ１は、各競技者のレースＮＯ．と、競技者に装着させた計測チップのＩＤとの対応付けを示すテーブルである。このテーブルＴ１から、例えば、レースＮＯ．００１の競技者は、チップＩＤがＡＡＡの計測チップを装着して、競技していることがわかる。
【００５５】
図１６〜図１９は計測タイムテーブルを示す図である。計測タイムテーブルＴ２−１〜Ｔ２−３、Ｔ２−１０は、各計測ポイントに対する通過時間が記されたテーブルであり、チップＩＤ、計測ポイント、通過時間の項目から構成される。
【００５６】
例えば、図１６の計測タイムテーブルＴ２−１は、スタート地点の各競技者の通過時間を示しており、チップＩＤがＧＧＧの競技者は、スタート地点を００：０３：００に出発している。また、図１９の計測タイムテーブルＴ２−１０は、ゴール地点の各競技者の通過時間を示しており、チップＩＤがＧＧＧの競技者は、０４：２４：１０にゴールしている。
【００５７】
次に映像検索・編集部４における、通過時間からタイムスタンプＮＯ．（タイムスタンプＮＯ．は後述のインデックスファイルで使用する）への変換処理について説明する。映像検索・編集部４は、競技のスタート時刻と通過時間を加算して、通過時刻を生成し、通過時刻と映像撮影開始時刻の差分を求め、差分値に任意の整数値を対応させたものをタイムスタンプＮＯ．とする。
【００５８】
例えば、スタート時刻が１２：００：００とした場合、チップＩＤ＝ＧＧＧの競技者のスタート地点通過時の通過時間は図１６により００：０３：００であるから、通過時刻は１２：０３：００（＝１２：００：００＋００：０３：００）である。そして、スタート地点において、映像撮影開始時刻を例えば、１分前（マイナス１分である）とした場合、チップＩＤ＝ＧＧＧの競技者のスタート地点における差分値は１２：０２：００（＝１２：０３：００−００：０１：００）となる。そして、この差分値に任意の整数値を対応させたものが、タイムスタンプＮＯ．となり、タイムスタンプＮＯ．を用いて、検索処理を行うことになる。
【００５９】
図２０、図２１はインデックスファイルとＭＰＥＧ２データ上の位置関係を示す図である。インデックスファイルは、タイムスタンプＮＯ．と、開始ポイントと、終了ポイントとの項目から構成され、各計測ポイント毎に存在する。図のインデックスファイルＴ３−１はスタート地点のものであり、インデックスファイルＴ３−２は５ｋｍ地点のものを示している。
【００６０】
インデックスファイル内の開始ポイントは、該当タイムスタンプＮＯ．における映像撮影開始ポイントのことであり、終了ポイントは、該当タイムスタンプＮＯ．における映像撮影終了ポイントのことである。図では、開始ポイントから終了ポイントまでの映像データは３０ｓ間のデータとしている。
【００６１】
ここで、チップＩＤ＝ＧＧＧの競技者のスタート地点における通過時間から、上述したやり方で算出したタイムスタンプＮＯ．が、タイムスタンプＮＯ．３０とする。映像データＡ（スタート地点の映像）内のタイムスタンプＮＯ．３０に対応する映像は、３番目のタイムスタンプ＝２０の映像データＡ１となる。
【００６２】
また、チップＩＤ＝ＧＧＧの競技者の５ｋｍ地点における通過時間から、上述したやり方で算出したタイムスタンプＮＯ．が、タイムスタンプＮＯ．１０とする。映像データＢ（５ｋｍ地点の映像）内のタイムスタンプＮＯ．１０に対応する映像は、１番目のタイムスタンプ＝０の映像データＢ１となる。
【００６３】
以降、同様にして、各地点におけるインデックスファイルを作成し、インデックスファイル上で競技者を検索して、各地点の該当の映像データを切り出して取得する。そして、最終的に、共通映像と共に切り出した映像データを、ＣＤ−Ｒなどに書き込んで、個人特定の映像媒体を作成する。
【００６４】
このように、本発明では、タイムスタンプとＭＰＥＧ２データファイル上の位置関係を示すインデックスファイルを作成して検索する構成とした。このインデックスファイルを作成するときには、映像データのスキャンを１回行う必要があるが、その後の特定の競技者個人を検索する場合には、映像データ上ではなくインデックスファイル上で検索を行うことになるので、効率よく高速に検索を行うことが可能になる（映像検索処理時間を１／１０程度に短縮することを確認した）。
【００６５】
次に映像取得設定ファイルについて図２２〜図２８を用いて説明する。映像取得設定ファイルとは、映像の編集パラメータとして、映像撮影ポイント、計測ポイント、映像の取得開始時間／取得時間、の少なくとも１つを有して、これらの内容が異なる映像ファイルを取得するためのファイルであり、この映像取得設定ファイルにより、すべての競技参加者に対して画一的な映像ではなく、それぞれの個人に対して、多様な映像を提供することが可能になる。
【００６６】
映像取得設定ファイルは、撮影地点ＮＯ．に対応するオフセット時間と、特定の映像を切り取る（編集）する際の映像条件情報との情報を持つ。図２２は撮影地点ＮＯ．とオフセット時間との対応テーブルを示す図である。テーブルＴ４は、撮影地点ＮＯ．とオフセット時間（各地点における各個人の撮影開始時間）の項目から構成される。例えば、地点＃Ｂではオフセット時間（撮影開始時間）が００：１５：００となっている。
【００６７】
一方、映像条件情報は、映像ファイルＮＯ．、撮影地点ＮＯ．、計測ポイントＮＯ．、取得開始時間、取得時間の項目から構成される。図２３〜図２６は映像条件情報に対する撮影状態を示す図である。
【００６８】
図２３の映像条件情報は、映像ファイルＮＯ．＝Ｆ１、撮影地点ＮＯ．＝＃Ａ、計測ポイントＮＯ．＝Ｐ１、取得開始時間（ｓ）＝−１８０、取得時間（ｓ）＝１８０となっている。この場合の撮影状態は、計測ポイントＰ１周辺に定点カメラ２１が置かれて、取得開始時間が−１８０ｓで、取得時間が１８０ｓであるので、撮影地点ＮＯ．＃Ａの映像を１８０ｓ間、取得することになる。
【００６９】
図２４の映像条件情報は、映像ファイルＮＯ．＝Ｆ２、撮影地点ＮＯ．＝＃Ｂ、計測ポイントＮＯ．＝Ｐ１、取得開始時間（ｓ）＝０、取得時間（ｓ）＝１８０となっている。この場合の撮影状態は、計測ポイントＰ１周辺に定点カメラ２１が置かれて、取得開始時間が０で、取得時間が１８０ｓであるので、撮影地点ＮＯ．２＃Ｂの映像を１８０ｓ間、取得することになる。
【００７０】
図２５の映像条件情報は、映像ファイルＮＯ．＝Ｆ３、撮影地点ＮＯ．＝＃Ｃ、計測ポイントＮＯ．＝Ｐ２、取得開始時間（ｓ）＝−３６０、取得時間（ｓ）＝１８０となっている。この場合の撮影状態は、計測ポイントＰ２周辺に定点カメラ２１が置かれて、取得開始時間が−３６０ｓで、取得時間が１８０ｓであるので、撮影地点ＮＯ．＃Ｃの映像を１８０ｓ間、取得することになる。
【００７１】
図２６の映像条件情報は、映像ファイルＮＯ．＝Ｆ４、撮影地点ＮＯ．＝＃Ｄ、計測ポイントＮＯ．＝Ｐ２、取得開始時間（ｓ）＝−１８０、取得時間（ｓ）＝１８０となっている。この場合の撮影状態は、計測ポイントＰ２周辺に定点カメラ２１が置かれて、取得開始時間が−１８０ｓで、取得時間が１８０ｓであるので、撮影地点ＮＯ．＃Ｄの映像を１８０ｓ間、取得することになる。
【００７２】
図２７は映像取得設定ファイルのフォーマット例を示す図である。映像取得設定ファイルｆ１０はテキスト形式であり、フォーマットの詳細について、以下の（１）〜（１５）に示す。
（１）先頭が＃の行はコメント行として読み飛ばされる
（２）識別子として、ファイルの先頭に”ＭＡＲＳ＃Ｓ＃ＦＩＬＥ”と記述する。この記述の無いファイルは無効とする。ファイルの途中または最後に記述されていても無効となる。
（３）地点オフセット記述部ｆ１１は、“ＯＦＦＳＥＴ”と“／ＯＦＦＳＥＴ”で挟むこと。“ＯＦＦＳＥＴ”と“／ＯＦＦＳＥＴ”の間に余計な文字列を記述してはならない。ただし、＃で始まるコメント行は記述してもよい。
（４）地点オフセット記述部ｆ１１において、撮影地点ナンバに１０進値の整数以外の文字列が書かれていた場合は無効とする（＋、−も無効）。
（５）地点オフセット記述部ｆ１１において、オフセットはｈｈ：ｍｍ：ｓｓ（ｈは時間、ｍは分、ｓは秒、区切りはコロン）のフォーマットのみ有効であり、その他の形式は無効である。
（６）地点オフセット記述部ｆ１１において、１行には１地点分のデータのみ記述される。また、１地点分のデータを２行以上に渡って記述してはならない。
（７）地点オフセット記述部ｆ１１において、撮影地点ナンバは１を開始とし、１ずつインクリメントすること。開始が１でない時、１ずつインクリメントされていない時は無効とする。
（８）映像条件情報記述部ｆ１２は、“ＳＥＴＴＩＮＧ”と“／ＳＥＴＴＩＮＧ”で挟むこと。“ＳＥＴＴＩＮＧ”と“／ＳＥＴＴＩＮＧ”の間に余計な文字列を記述してはならない。ただし、＃で始まるコメント行は記述してもよい。
（９）映像条件情報記述部ｆ１２において、映像条件情報は（映像ファイルＮＯ．）、（撮影地点ＮＯ．）、（計測ポイントＮＯ．）、（撮影開始時間）、（撮影時間）であり、“，（カンマ）”によってデータの区切りとする。
（１０）映像条件情報記述部ｆ１２について、映像ファイルＮＯ．、撮影地点ＮＯ．、計測ポイントＮＯ．、撮影開始時間、撮影時間に１０進値の整数以外の文字列が書かれていた場合は無効とする。ただし、撮影開始時間のみ＋、−を有効とする。
（１１）映像条件情報記述部ｆ１２について、撮影開始時間の数値に＋、−の記述が無い場合は＋とみなす。
（１２）映像条件情報記述部ｆ１２において、撮影開始時間、撮影時間の単位は秒である。
（１３）映像条件情報記述部ｆ１２において、１行には１画像分のデータのみ記述される。また、１画像分のデータを２行以上に渡って記述してはならない。
（１４）映像条件情報記述部ｆ１２において、地点オフセット記述部ｆ１１の撮影地点ナンバに無い撮影地点ナンバが記述されていた場合は、無効とする。
（１５）映像条件情報記述部ｆ１２について、存在しない計測ポイントナンバが記述されていた場合は無効とする。
【００７３】
図２８は映像取得設定ファイルを使用した個人映像編集処理の一例を示す図である。図は経過時間、地点毎の映像データ、映像取得設定ファイルにより編集した映像ファイルを示している。
【００７４】
スタート地点＃Ａにおけるスタート時刻から００：１５：００までの映像データ＃Ａ１（ＯＦＦＳＥＴ＝００：００：００の映像データ）に対し、取得開始時間がスタート時刻であり（地点＃Ａの計測タイムから０秒）、取得時間が１８０秒の映像データを、映像ファイルＮＯ．Ｆ１０として切り出している。
【００７５】
地点＃Ｂにおける経過時間００：１５：００からの映像データ＃Ｂ１（ＯＦＦＳＥＴ＝００：１５：００の映像データ）に対し、取得開始時間が地点＃Ｂの計測タイムから−１８０秒であり、取得時間が取得開始時間から３６０秒の映像データを、映像ファイルＮＯ．Ｆ１１として切り出している。
【００７６】
このように、本発明では、撮影ポイント、計測ポイント、映像の取得開始時間／取得時間を指定する対応表である映像取得設定ファイルを作成することで、映像記録装置２及びタイム計測部３の設置パターンに対して、多様な映像編集を行うことが可能になる。
【００７７】
次に映像取得設定ファイルにより、１つの計測ポイントから複数の映像ファイルを取得する場合について説明する。図２３〜図２６では１つの計測ポイントに１台の定点カメラを配置して映像を撮影していることとしたが、撮影地点と計測ポイントとが１対１に固定的に対応すると、１つの計測タイム情報から１台の定点カメラの映像しか抽出できず、カメラアングルが固定的になる等の弊害がある。このため、１つの計測ポイントに複数台の定点カメラを設置し、映像取得設定ファイルにより、１つの計測ポイントから複数の映像ファイルを編集できるようにする。
【００７８】
図２９は計測ポイントを中心に前後を２台の定点カメラでカバーする例を示す図である。図の撮影状態では、計測ポイントＰ１を中心に前後を２台の定点カメラ２１ａ、２１ｂを配置する。定点カメラ２１ａは、取得開始時間が−１８０ｓ、取得時間が１８０ｓであり、撮影地点ＮＯ．＃Ａの映像を１８０ｓ間取得する。定点カメラ２１ｂは、取得開始時間が０、取得時間が１８０ｓであり、撮影地点ＮＯ．＃Ｂの映像を１８０ｓ間取得する。
【００７９】
図３０は計測ポイントの前を２台の定点カメラでカバーする例を示す図である。図の撮影状態では、計測ポイントＰ２の前に定点カメラ２２ｃ、２２ｄを配置する。定点カメラ２２ｃは、取得開始時間が−３６０ｓ、取得時間が１８０ｓであり、撮影地点ＮＯ．＃Ｃの映像を１８０ｓ間取得する。定点カメラ２２ｄは、取得開始時間が−１８０ｓ、取得時間が１８０ｓであり、撮影地点ＮＯ．＃Ｄの映像を１８０ｓ間取得する。
【００８０】
図３１は映像条件情報を示す図である。図２９、図３０の配置に対応する映像取得設定ファイルの映像条件情報ｆ１０ａを示している。図２９、図３０のように映像記録装置２及びタイム計測部３を配置することで、１つの地点の個人の映像を大きく、長時間撮影することができ、また、図３１の映像条件情報ｆ１０ａを有する映像取得設定ファイルを作成することにより、１つの計測ポイントから複数の映像ファイルを関連付けることができる。
【００８１】
次に映像データの中に、通過時間に対応して、競技者を特定するための識別情報を挿入する場合について説明する。図３２は競技者の撮影及び通過時間の測定を行っている図である。図の構成は基本的には図１１と同じだが、異なる点は、計測タイム情報を映像データ中に取り込むための合成処理部２２１ｂ−１（ＣＰＵ２２１ｂによるソフトウェア機能である）を映像蓄積制御部２２ａに設けている点である。
【００８２】
図３３、図３４は映像データ中にレースＮＯ．が挿入されている様子を示す図である。例えば、レースＮＯ．１００１の識別情報が、対応するタイムスタンプ０００２のパケットの前に挿入されており、レースＮＯ．１００３の識別情報が、対応するタイムスタンプ０００４のパケットの前に挿入されている。
【００８３】
このように、映像データ中に競技者を特定するための識別情報（レースＮｏ、の他にチップＩＤや氏名でもよい）を直接挿入して記録することにより、識別情報にもとづいて検索処理（この検索処理では時間の概念をなくしている）を行うことができるので、高速検索が可能になる。
【００８４】
ここで、映像記録装置２を次の撮影ポイントに順次移動させながら個人映像の提供時期を早める場合の動作について説明する。図４、図５では、映像記録装置２は各地点に固定的に設置するものであった。この場合、トップでゴールを通過した競技者は、自分の映像を取得するまで４時間待たなければならない。したがって、映像記録装置２を次の撮影ポイントに順次移動させて（使い回して）、かつ、上記のような競技者の識別情報を映像データに直接挿入して、検索処理するやり方で、個人映像の提供時期を早めるようにする。
【００８５】
図３５、図３６は個人映像の提供時期を早める際の映像撮影時間を示す図である。図２、図３で示したマラソンコース上に配置した映像記録装置２−１〜２−１０で撮影する映像時間を示している。
【００８６】
スタート地点においては、レース先頭の競技者から最後尾の競技者までが通過し終わるのに１５分かかっている。映像記録装置Ａは、先頭競技者が通過した時間から撮影を開始して、最後尾の競技者が通過し終わるまで１５分間撮影し、その後、映像データをファイル転送して（ファイル転送に１５分要している）、映像ファイルを作成する。
【００８７】
スタート地点における映像ファイルが作成したら、映像記録装置ａを１５ｋｍ地点に移動（運搬）する。映像記録装置ａを１５ｋｍ地点に移動させた時点（０１：３０：００）で、映像記録装置ｄ（１５ｋｍ地点にすでに配置されて、００：４５：００から撮影を開始している）の撮影を停止させる。
【００８８】
０１：３０：００の時刻で、映像記録装置ｄで撮影した映像データをファイル転送して（ファイル転送に１５分要している）、映像ファイルを作成し、かつスタート地点から運んできた映像記録装置ａで１５ｋｍ地点の撮影を開始する。
【００８９】
そして、映像記録装置ｄの１５ｋｍ地点の映像ファイルが作成したら、映像記録装置ｄは３０ｋｍ地点に運び、映像記録装置ａの１５ｋｍ地点の映像ファイルが作成したら、映像記録装置ａを２５ｋｍ地点に運ぶ。このようにして、各地点の映像記録装置を移動させると、先頭競技者からゴール地点を通過してから約１時間で先頭競技者の映像を提供することができる。
【００９０】
以上説明したように、本発明により、映像検索・編集のための検索用タグ付加処理などが不要になり、映像データがそろった段階から個人向けに専用映像媒体の提供を開始することができる。
【００９１】
また、本発明の効果として、少ない人数で素早く個人特化型の映像提供サービスが実施できること、専門知識を持ったスタッフが少数でよいこと、大会規模や予算に合わせて撮影ポイント数や記録時間及び提供媒体をスケーラブルに提供できること、個人映像編集の即時性により大会当日のみの作業ですべてが完了すること等が挙げられる。
【００９２】
（付記１）　移動物体を撮影し、映像の検索・編集処理を行う映像処理システムにおいて、
定点カメラと、前記定点カメラによって撮影された移動物体の映像を、撮影時間のタイムスタンプと共に蓄積する映像蓄積制御部と、から構成される映像記録装置と、
計測ポイントに配置して、移動物体の通過時間を計測し、移動物体の識別情報と通過時間とを含む計測タイム情報を蓄積するタイム計測部と、
前記計測タイム情報に、前記映像記録装置に蓄積された映像データの前記タイムスタンプを関連付けて、移動物体の映像を自動検索し、検索した移動物体の映像を編集する映像検索・編集部と、
を有することを特徴とする映像処理システム。
【００９３】
（付記２）　前記映像検索・編集部は、前記計測タイム情報から生成したタイムスタンプナンバを含むインデックスファイルを生成し、前記インデックスファイル上で映像データ内の特定の移動物体の検索を行うことを特徴とする付記１記載の映像処理システム。
【００９４】
（付記３）　前記映像検索・編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１記載の映像処理システム。
【００９５】
（付記４）　１つの計測ポイント周辺に複数の前記映像記録装置を配置して、前記映像検索・編集部は、前記映像取得設定ファイルを用いて、１つの計測ポイントにもとづいて、複数の映像ファイルを取得することを特徴とする付記３記載の映像処理システム。
【００９６】
（付記５）　前記映像記録装置は、映像データの中に、通過時間に対応して、移動物体を特定するための識別情報を挿入することを特徴とする付記１記載の映像処理システム。
【００９７】
（付記６）　定点カメラで撮影した動画像データであって、撮影タイミング情報を含む映像情報と、前記定点カメラから所定距離内のポイントを被写体が通過した時刻情報及び前記被写体の識別情報が対応付けられた通過情報と、を用いて、動画像データの検索処理を行う映像処理装置において、
前記通過情報に対し、識別情報に対応する時刻情報を検索する時刻検索部と、検索した時刻情報と所定のタイミング関係にある前記撮影タイミング情報に対応する動画像データを前記映像情報から検索する映像検索部と、
を有することを特徴とする映像処理装置。
【００９８】
（付記７）　移動物体を撮影する映像記録装置において、
定点カメラと、
前記定点カメラによって撮影された移動物体の映像を、撮影時間のタイムスタンプと共に蓄積する映像蓄積制御部と、
を有することを特徴とする映像記録装置。
【００９９】
（付記８）　前記映像蓄積制御部は、映像データの中に、移動物体の通過時間に対応して、移動物体を特定するための識別情報を挿入することを特徴とする付記７記載の映像記録装置。
【０１００】
（付記９）　映像の検索・編集処理を行う映像検索・編集装置において、
移動物体の識別情報と通過時間とを含む計測タイム情報に、蓄積された映像データの前記タイムスタンプを関連付けて、移動物体の映像を自動検索する映像検索部と、
検索した移動物体の映像を編集する映像編集部と、
を有することを特徴とする映像検索・編集装置。
【０１０１】
（付記１０）　前記映像検索・編集部は、前記計測タイム情報から生成したタイムスタンプナンバを含むインデックスファイルを生成し、前記インデックスファイル上で映像データ内の特定の移動物体の検索を行うことを特徴とする付記９記載の映像検索・編集装置。
【０１０２】
（付記１１）　前記映像編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記９記載の映像検索・編集装置。
【０１０３】
（付記１２）　前記映像編集部は、前記映像取得設定ファイルを用いて、１つの計測ポイントにもとづいて、複数の映像ファイルを取得することを特徴とする付記１１記載の映像検索・編集装置。
【０１０４】
（付記１３）　移動物体を撮影し、映像の検索・編集処理を行う映像処理方法において、
定点カメラによって移動物体を撮影し、
撮影時間のタイムスタンプと共に撮影した映像を蓄積し、
計測ポイントによる移動物体の通過時間を計測し、
移動物体の識別情報と通過時間とを含む計測タイム情報を蓄積し、
前記計測タイム情報に、蓄積された映像データの前記タイムスタンプを関連付けて、移動物体の映像を自動検索し、
検索した移動物体の映像を編集することを特徴とする映像処理方法。
【０１０５】
（付記１４）　前記計測タイム情報から生成したタイムスタンプナンバを含むインデックスファイルを生成し、前記インデックスファイル上で映像データ内の特定の移動物体の検索を行うことを特徴とする付記１３記載の映像処理方法。
【０１０６】
（付記１５）　映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１３記載の映像処理方法。
【０１０７】
（付記１６）　１つの計測ポイント周辺に複数の映像記録装置を配置して、前記映像取得設定ファイルを用いて、１つの計測ポイントにもとづいて、複数の映像ファイルを取得することを特徴とする付記１５記載の映像処理方法。
【０１０８】
（付記１７）　映像データの中に、通過時間に対応して、移動物体を特定するための識別情報を挿入することを特徴とする付記１３記載の映像処理方法。
（付記１８）　時間の経過と共に競技者の位置が移動するスポーツの映像を撮影して、競技者個人の撮影映像のファイルを作成するための映像処理を行うスポーツ映像処理方法において、
コース上の複数ポイントに、定点カメラを含む映像記録装置を設置して、コースの全域に渡ってすべての競技者を撮影し、
撮影時間のタイムスタンプと共に映像データを蓄積し、
コース上の複数ポイントに、計測ポイントを設けて、競技者の通過時間及び識別情報を含む計測タイム情報を蓄積し、
タイムスタンプを含む映像データから競技者の計測タイム情報にもとづいて、個人の計測ポイント周辺の映像を自動検索し、
個々の競技者の映像を編集して、映像媒体を作成することを特徴とするスポーツ映像処理方法。
【０１０９】
（付記１９）　前記計測タイム情報から生成したタイムスタンプナンバを含むインデックスファイルを生成し、前記インデックスファイル上で映像データ内の特定の競技者の検索を行うことを特徴とする付記１８記載のスポーツ映像処理方法。
【０１１０】
（付記２０）　映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１８記載のスポーツ映像処理方法。
【０１１１】
（付記２１）　１つの計測ポイント周辺に複数の前記映像記録装置を配置して、前記映像取得設定ファイルを用いて、１つの計測ポイントにもとづいて、複数の映像ファイルを取得することを特徴とする付記２０記載のスポーツ映像処理方法。
【０１１２】
（付記２２）　映像データの中に、通過時間に対応して、競技者を特定するための識別情報を挿入することを特徴とする付記１８記載のスポーツ映像処理方法。
【０１１３】
【発明の効果】
以上説明したように、本発明の映像処理システムは、定点カメラ及び撮影時間のタイムスタンプと共に撮影した映像を蓄積する映像蓄積制御部を含む映像記録装置と、移動物体の通過時間を計測して計測タイム情報を蓄積するタイム計測部とを配置して、映像記録装置に蓄積された映像データのタイムスタンプに計測タイム情報を関連付け、移動物体の映像を自動検索し、検索した移動物体の映像を編集して映像媒体を作成する構成とした。これにより、移動物体映像の検索・編集を高速に効率よく行うことができ、映像管理、操作性及びサービス品質の向上を図ることが可能になる。
【図面の簡単な説明】
【図１】本発明の映像処理システムの原理図である。
【図２】映像処理システムの全体構成図である。
【図３】映像処理システムの全体構成図である。
【図４】映像の撮影時間を示す図である。
【図５】映像の撮影時間を示す図である。
【図６】本発明の概略動作を示すフローチャートである。
【図７】定点カメラの設置位置を示す図である。
【図８】図７をＡ方向から見た図である。
【図９】映像記録装置の構成を示す図である。
【図１０】ＨＤＤの蓄積データを示す図である。
【図１１】競技者の撮影及び通過時間の測定を行っている図である。
【図１２】計測タイム情報とタイムスタンプとの関連付けを示す図である。
【図１３】計測タイム情報とタイムスタンプとの関連付けを示す図である。
【図１４】映像データの階層構造を示す図である。
【図１５】レースＮＯ．／チップＩＤ対応テーブルを示す図である。
【図１６】計測タイムテーブルを示す図である。
【図１７】計測タイムテーブルを示す図である。
【図１８】計測タイムテーブルを示す図である。
【図１９】計測タイムテーブルを示す図である。
【図２０】インデックスファイルとＭＰＥＧ２データ上の位置関係を示す図である。
【図２１】インデックスファイルとＭＰＥＧ２データ上の位置関係を示す図である。
【図２２】撮影地点ＮＯ．とオフセット時間との対応テーブルを示す図である。
【図２３】映像条件情報に対する撮影状態を示す図である。
【図２４】映像条件情報に対する撮影状態を示す図である。
【図２５】映像条件情報に対する撮影状態を示す図である。
【図２６】映像条件情報に対する撮影状態を示す図である。
【図２７】映像取得設定ファイルのフォーマット例を示す図である。
【図２８】映像取得設定ファイルを使用した個人映像編集処理の一例を示す図である。
【図２９】計測ポイントを中心に前後を２台の定点カメラでカバーする例を示す図である。
【図３０】計測ポイントの前を２台の定点カメラでカバーする例を示す図である。
【図３１】映像条件情報を示す図である。
【図３２】競技者の撮影及び通過時間の測定を行っている図である。
【図３３】映像データ中にレースＮＯ．が挿入されている様子を示す図である。
【図３４】映像データ中にレースＮＯ．が挿入されている様子を示す図である。
【図３５】個人映像の提供時期を早める際の映像撮影時間を示す図である。
【図３６】個人映像の提供時期を早める際の映像撮影時間を示す図である。
【符号の説明】
１　映像処理システム
２−１〜２−ｎ　映像記録装置
２１−１〜２１−ｎ　定点カメラ
２２−１〜２２−ｎ　映像蓄積制御部
３−１〜３−ｎ　タイム計測部
４　映像検索・編集部
５　映像媒体
【図１】
2004112153.tif 000003
【図２】
2004112153.tif 000004
【図３】
2004112153.tif 000005
【図４】
2004112153.tif 000006
【図５】
2004112153.tif 000007
【図６】
2004112153.tif 000008
【図７】
2004112153.tif 000009
【図８】
2004112153.tif 000010
【図９】
2004112153.tif 000011
【図１０】
2004112153.tif 000012
【図１１】
2004112153.tif 000013
【図１２】
2004112153.tif 000014
【図１３】
2004112153.tif 000015
【図１４】
2004112153.tif 000016
【図１５】
2004112153.tif 000017
【図１６】
2004112153.tif 000018
【図１７】
2004112153.tif 000019
【図１８】
2004112153.tif 000020
【図１９】
2004112153.tif 000021
【図２０】
2004112153.tif 000022
【図２１】
2004112153.tif 000023
【図２２】
2004112153.tif 000024
【図２３】
2004112153.tif 000025
【図２４】
2004112153.tif 000026
【図２５】
2004112153.tif 000027
【図２６】
2004112153.tif 000028
【図２７】
2004112153.tif 000029
【図２８】
2004112153.tif 000030
【図２９】
2004112153.tif 000031
【図３０】
2004112153.tif 000032
【図３１】
2004112153.tif 000033
【図３２】
2004112153.tif 000034
【図３３】
2004112153.tif 000035
【図３４】
2004112153.tif 000036
【図３５】
2004112153.tif 000037
【図３６】
2004112153.tif 000038
【手続補正書】
【提出日】平成15年10月3日(2003.10.3)
【手続補正１】
【補正対象書類名】明細書
【補正対象項目名】全文
【補正方法】変更
【補正の内容】
【特許請求の範囲】
【請求項１】移動物体を撮影し、映像の検索・編集処理を行う映像処理システムにおいて、
定点カメラと、前記定点カメラによって撮影された移動物体の映像を、撮影時間のタイムスタンプと共に蓄積する映像蓄積制御部と、から構成される映像記録装置と、
計測ポイントに配置して、移動物体の通過時間を計測し、移動物体の識別情報と通過時間とを含む計測タイム情報を蓄積するタイム計測部と、
前記計測タイム情報に、前記映像記録装置に蓄積された映像データの前記タイムスタンプを関連付けて、移動物体の映像を自動検索し、検索した移動物体の映像を編集する映像検索・編集部と、
を有することを特徴とする映像処理システム。
【請求項２】前記映像検索・編集部は、前記計測タイム情報から生成したタイムスタンプナンバを含むインデックスファイルを生成し、前記インデックスファイル上で映像データ内の特定の移動物体の検索を行うことを特徴とする請求項１記載の映像処理システム。
【請求項３】前記映像検索・編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする請求項１記載の映像処理システム。
【請求項４】１つの計測ポイント周辺に複数の前記映像記録装置を配置して、前記映像検索・編集部は、前記映像取得設定ファイルを用いて、１つの計測ポイントにもとづいて、複数の映像ファイルを取得することを特徴とする請求項３記載の映像処理システム。
【請求項５】定点カメラで撮影した動画像データであって、撮影タイミング情報を含む映像情報と、前記定点カメラから所定距離内のポイントを被写体が通過した時刻情報及び前記被写体の識別情報が対応付けられた通過情報と、を用いて、動画像データの検索処理を行う映像処理装置において、
前記通過情報に対し、識別情報に対応する時刻情報を検索する時刻検索部と、
検索した時刻情報と所定のタイミング関係にある前記撮影タイミング情報に対応する動画像データを前記映像情報から検索する映像検索部と、
を有することを特徴とする映像処理装置。
【発明の詳細な説明】
【０００１】
【発明の属する技術分野】
本発明は映像処理システムに関し、特に移動物体を撮影し、映像の検索・編集処理を行う映像処理システムに関する。
【０００２】
【従来の技術】
近年、動画像のディジタル圧縮化等に代表されるマルチメディア映像技術の発展に伴い、様々な分野で映像情報サービスが提供されており、さらなる高度化、高品質化が期待されている。
【０００３】
スポーツの分野における映像情報サービスとしては、スポーツ観戦の点から見た場合、スポーツ中継をＨＤＴＶ（ｈｉｇｈ　ｄｅｆｉｎｉｔｉｏｎ　ｔｅｌｅｖｉｓｉｏｎ）で放送したり、実況中に、圧縮されて空いた通信帯域に、データを流したりするサービスなどが行われている。
【０００４】
一方、スポーツの競技者にとっては、競技レベルの向上のためのデータ収集や大会参加の記念などといった理由で、競技中の自分の映像を所有したいという要求が高まっている。このため、大会運営側では、参加者を撮影して、競技中の映像の提供を行っているものがある。
【０００５】
例えば、時間の経過と共に競技者の位置が移動する、マラソンやトライアスロン等では、レース中に、カメラを積んだ複数台の車両で、競技者の移動を追跡して映像を撮影し、大会終了後に、競技全体の流れとして個人の映像の提供（販売）を行っている。
【０００６】
従来、スポーツ分野に映像メディアを利用した技術としては、ゴルフ等のフォームの解析を行うために、被写体の映像を撮影して、動きの速度、角度、方向等の計測を行う装置などが提案されている（例えば、特許文献１）。
【０００７】
【特許文献１】
特開平８−２４２４６７号公報（段落番号〔０００９〕〜〔００１２〕，第１図）
【０００８】
【発明が解決しようとする課題】
上記のような、時間経過によって移動を伴うマラソンやトライアスロンのようなスポーツに対して、競技映像の提供を行う場合、従来の映像撮影では、カメラを積んだ車両を複数台用意するために、専用スタッフの人数が多くなり、また、カメラの数が限られるため、撮影ポイントも限られてしまうといった問題があった。
【０００９】
さらに、マラソンやトライアスロン等では、時間経過と共に参加者が分散していくので、撮影しなければならない範囲が広がってしまう。このため、従来の映像撮影では、すべての参加者をコース全域に渡ってカバーすることは非常に困難であった。
【００１０】
一方、撮影した映像の中から個人を特定して編集し、その個人専用の映像メディアを作成する場合、従来では、撮影したすべての映像の中から個人の映像を人手により確認して（具体的には、映像中のレースナンバ（ゼッケンナンバ）などを目視で確認している）、編集していたため、非常に手間のかかる作業となっていた。
【００１１】
したがって、作成され提供された映像メディアは、大会終了後長期間たっており、競技の技術力向上を目指す選手にとっては、必ずしも役に立つものとはならず、また、映像メディアの価格も高価なものになっていた。
【００１２】
本発明はこのような点に鑑みてなされたものであり、個人映像の検索・編集を高速に効率よく行って映像メディアを作成し、サービス品質の向上を図った映像処理システムを提供することを目的とする。
【００１３】
【課題を解決するための手段】
本発明では上記課題を解決するために、図１に示すような、移動物体を撮影し、映像の検索・編集処理を行う映像処理システム１において、定点カメラ２１−１〜２１−ｎと、定点カメラ２１−１〜２１−ｎによって撮影された移動物体の映像を、撮影時間のタイムスタンプと共に蓄積する映像蓄積制御部２２−１〜２２−ｎと、から構成される映像記録装置２−１〜２−ｎと、計測ポイントに配置して、移動物体の通過時間を計測し、移動物体の識別情報と通過時間とを含む計測タイム情報を蓄積するタイム計測部３−１〜３−ｎと、計測タイム情報に、映像記録装置２−１〜２−ｎに蓄積された映像データのタイムスタンプを関連付けて、移動物体の映像を自動検索し、検索した移動物体の映像を編集する映像検索・編集部４と、を有することを特徴とする映像処理システム１が提供される。
【００１４】
ここで、映像蓄積制御部２２−１〜２２−ｎは、定点カメラ２１−１〜２１−ｎによって移動物体を撮影し、撮影時間のタイムスタンプと共に撮影した映像を蓄積する。タイム計測部３−１〜３−ｎは、計測ポイントに配置して、移動物体の通過時間を計測し、移動物体の識別情報と通過時間とを含む計測タイム情報を蓄積する。映像検索・編集部４は、計測タイム情報に、映像記録装置２−１〜２−ｎに蓄積された映像データのタイムスタンプを関連付けて、移動物体の映像を自動検索し、検索した移動物体の映像を編集する。
【００１５】
【発明の実施の形態】
以下、本発明の実施の形態を図面を参照して説明する。図１は本発明の映像処理システムの原理図である。本発明の映像処理システム１は、映像記録装置２−１〜２−ｎ、タイム計測部３−１〜３−ｎ、映像検索・編集部４から構成されて、移動物体を撮影し、映像の検索・編集処理を行うシステムである。
【００１６】
映像記録装置２−１〜２−ｎそれぞれは、定点カメラ（固定カメラ）２１−１〜２１−ｎと、映像蓄積制御部２２−１〜２２−ｎとから構成される。映像蓄積制御部２２−１〜２２−ｎは、定点カメラ２１−１〜２１−ｎによって撮影された移動物体の映像を、撮影時間のタイムスタンプと共に蓄積する。
【００１７】
タイム計測部３−１〜３−ｎは、計測ポイントに配置して、移動物体の通過時間を計測し、移動物体の識別情報（移動物体がスポーツ競技者ならばレースＮＯ．など）と通過時間とを含む計測タイム情報を蓄積する。映像検索・編集部４は、映像記録装置２−１〜２−ｎに蓄積された映像データのタイムスタンプに、計測タイム情報を関連付けて、移動物体の映像を自動検索し、検索した計測ポイント毎の移動物体の映像を編集する。また、編集された映像をＣＤＲＯＭ等に書き込んで、映像媒体５を作成する。
【００１８】
ここで、移動物体をスポーツの競技者とし、コース上を移動する競技者の映像を撮影して映像処理を行う場合には、コース上の複数ポイントに、映像記録装置２−１〜２−ｎを配置し、タイム計測部３−１〜３−ｎも、コース上の複数の計測ポイントに配置する。そして、これらの構成要素によって、すべての競技者に対する、コース全域に渡っての映像及び計測ポイント通過時の計測タイム情報を取得する。
【００１９】
映像検索・編集部４（例えば、大会本部に設置される）は、収集したデータから、参加者個人の映像を検索し、個々の参加者の競技模様や共通映像（大会エピローグなど）を編集して、特定個人のための映像媒体（ＣＤＲＯＭなど）５を作成する。
【００２０】
なお、移動物体の通過時間を計測する装置（競技者の走破タイムを計測する装置）としては、多数提案されており、タイム計測部３−１〜３−ｎには、既存の技術を使用する。例えば、タイム計測部３−１〜３−ｎは、小型の計測チップと、データ蓄積機能を有する計時器とから構成されるシステムを用いる。
【００２１】
計測チップは、電波の送受信が可能であり、競技者の手首または足首などに装着させる。また、計時器は、コース路面上に設置して、計測チップと通信を行う。このようなシステムにより通過時間を読み取る（例えば、特開２０００−２７１２５９号公報、特開２００２−２０４１１９号公報等の従来技術を利用することができる）。
【００２２】
また、計測チップにはチップＩＤを付けておき、大会スタッフは競技者に計測チップを渡す際には、レース前にチップＩＤと各競技者レースＮＯ．とを控えて、チップＩＤとレースＮＯ．とを対応付けておく。
【００２３】
次に時間の経過と共に競技者の位置が移動するマラソンやトライアスロンのようなスポーツに対して、本発明の映像処理システム１を適用した場合の動作について以降詳しく説明する。
【００２４】
本発明では、１）自分が多く写った大会記録映像は欲しい、２）その記録映像は、記憶が鮮明なうちに次の大会より前の時期に入手したい、という参加者のニーズを実現するためのものであり、コース上の複数のポイントで撮影した全体映像から、それぞれ個人を抽出し、各個人中心の記録映像を合成編集し、かつ当日渡し可能なシステムを実現するものである（例えば、１００人以上に当日渡し可能で、個人映像生成時間は５分以内／人）。
【００２５】
図２、図３は映像処理システム１の全体構成図である。４２．１９５ｋｍのマラソンに本発明のシステムを適用した場合の全体図を示している。競技者が移動するコース上に任意の間隔で映像記録装置２−１〜２−ｎと、競技者１人、１人を識別できる通過時間を計測するタイム計測部３−１〜３−ｎとをコース上に設置する。
【００２６】
映像記録装置２−１〜２−ｎ及びタイム計測部３−１〜３−ｎは、各地点毎に独立して動作するため、システム構成上台数の制限は設けないが、フルマラソン４２．１９５ｋを考えた場合には、各地点の定点カメラは１台当たり概ね１００ｍのエリアをカバーするので、４２．１９５ｋｍを完全に隙間なくカバーしようとしたら、４２２台の機材を１００ｍ間隔に配置すればよい。
【００２７】
また、映像記録装置２−１〜２−ｎ内の映像蓄積制御部２２−１〜２２−ｎは、必ず各地点を通過するすべての参加者の映像データを記録する（フルマラソン適用例では、最大６時間程度の連続記録を想定）。
【００２８】
なお、図では、４２．１９５ｋｍのマラソンに対し、簡略化して、５ｋｍおきにタイム計測部３−１〜３−１０と、その周辺に映像記録装置２−１〜２−１０とを設置して（４０ｋｍ地点とゴール地点間は１９５ｍ間隔）、映像検索・編集部４へデータを収集している様子を示している（以降では、この配置を基本にして説明を行う）。
【００２９】
収集されるデータは、映像記録装置２−１〜２−１０では映像データであり、タイム計測部３−１〜３−１０では計測タイム情報（レースＮＯ．等の競技者の識別情報及び計測ポイントにおける通過時間）である。また、これらのデータを収集する場合には、すべてのデータを取得した地点から、映像記録装置２−１〜２−１０及びタイム計測部３−１〜３−１０の機材を順番に、車両で回収して大会本部へ運んでいく。
【００３０】
一方、映像検索・編集部４は、システム内に１個所設け（大会本部などに設ける）、各地点における映像データや計測タイム等を一元管理する。映像検索・編集部４は、大容量のディジタル映像蓄積用ハードディスク装置と、編集作業用のパーソナルコンピュータと、映像編集後の個人別映像データを提供・販売するための媒体作成装置と、から構成される。
【００３１】
なお、提供する映像媒体は、ユーザ個人の動画メディアの視聴環境により異なるので複数タイプを想定する（例えば、アナログビデオテープで提供する場合、映像検索・編集部４は、ＭＰＥＧ２形式の個人別映像データをリアルタイムデコードし、ＮＴＳＣ形式に変換した後にＶＴＲ記録する機能をサポートする必要がある）。
【００３２】
図４、図５は映像の撮影時間を示す図である。図２、図３で示したマラソンコース上に配置した映像記録装置２−１〜２−１０で撮影する映像時間を示している。
【００３３】
スタート地点においては、レース先頭の競技者から最後尾の競技者までが通過し終わるのに１０分かかっている。したがって、スタート地点を撮影する映像記録装置２−１は、先頭競技者が通過する時間から撮影を開始して、最後尾の競技者が通過し終わるまで１０分間撮影して、映像データＡを作成する。
【００３４】
５ｋｍ地点においては、レース先頭の競技者から最後尾の競技者までが通過し終わるのに２５分かかっている。したがって、５ｋｍ地点を撮影する映像記録装置２−２は、先頭競技者が通過する時間から撮影を開始して、最後尾の競技者が通過し終わるまで２５分間撮影して、映像データＢを作成する。
【００３５】
このようにして、各地点毎に競技者の映像が撮影されていく。そして、ゴールに近づくにつれ、競技者はコース上に広く分散するので、ゴール地点では、レース先頭の競技者から最後尾の競技者までが通過し終わるのに２４０分（４時間）かかっている。したがって、ゴール地点を撮影する映像記録装置２−１０は、先頭競技者が通過する時間から撮影を開始して、最後尾の競技者が通過し終わるまで２４０分間撮影して、映像データＪを作成する。
【００３６】
次に映像記録装置２−１〜２−１０及びタイム計測部３−１〜３−１０をコース上に設置して映像媒体５を作成するまでの概略動作についてフローチャートを用いて説明する。図６は本発明の概略動作を示すフローチャートである。
〔Ｓ１〕各撮影ポイントに配置された映像記録装置２−１〜２−１０の内部時計の時刻合せを行う。具体的には、蓄積映像の記録開始時間、記録終了時間、蓄積映像に付加されるタイムスタンプの記録の元になる標準時間についての時刻合せを行う。
〔Ｓ２〕コース上の撮影ポイントへ映像記録装置２−１〜２−１０を設置し（映像記録装置２−１〜２−１０の設置時には、定点カメラ２１−１〜２１−１０の撮影範囲、アングル等のファクタを決定する）、コース上の計測ポイントにタイム計測部３−１〜３−１０を設置する。
〔Ｓ３〕各撮影ポイントに配置された映像記録装置２−１〜２−１０で、各ポイントを最初に通過する競技者から、最後に通過する競技者までを定点カメラ２１−１〜２１−１０で撮影する。なお、撮影開始時刻・終了時刻は、各ポイントそれぞれの映像蓄積量を最小限にするため、それぞれの撮影ポイントで異なる。また、映像記録装置２−１〜２−１０の起動・終了の操作は、コース保全を担当する大会スタッフが行うことになる。
〔Ｓ４〕タイム計測部３−１〜３−ｎは、計測ポイント通過時に各競技者の通過時間を測定する。
〔Ｓ５〕大会スタッフは、映像記録装置２−１〜２−１０に対し、映像が蓄積された装置から順番に映像データを収集する。収集方法としては、上述したように機材そのものを直接、車両などで回収していく（または、電話／ＬＡＮ等の有線回線または無線回線を利用してのリモートファイル転送を大会本部へ向けて行ってもよい）。
〔Ｓ６〕蓄積映像データの収集作業と並行して、大会スタッフは、タイム計測部３−１〜３−１０に対し、すべての競技者の計測を終えた計測器から順番に計測タイム情報を収集する。収集方法は、ステップＳ５と同様。
〔Ｓ７〕大会本部において、収集したデータを集約する。
〔Ｓ８〕映像検索・編集部４は、個人別映像データを生成する競技者を指定し、後述の映像取得設定ファイルの情報にもとづき、各地点毎の個人別映像を、各地点毎の全体映像ファイルから検索する。
〔Ｓ９〕映像検索・編集部４は、特定競技者の映像の切り出し処理を行う。各地点におけるすべての個人別映像データの作成後、共通映像（タイトル、大会プロローグ、大会エピローグなど）と個人別映像データとを結合して編集し、大会全体の個人別映像データを作成する。
〔Ｓ１０〕映像検索・編集部４は、個人別映像データを所定の映像媒体５に書き込む。
【００３７】
図７は定点カメラの設置位置を示す図である。図８は図７をＡ方向から見た図である。図の定点カメラ２１は、通過時間を計測する計測ポイントから１００ｍ離れた位置に置かれて、計測チップ３ａを装着した競技者を撮影する例を示している。
【００３８】
ここで、１ｋｍを３分で走る競技者は、１００ｍは１８秒かかり、４２．１９５ｋｍでは、２時間６分３５秒で完走する（これは世界記録ペース）。また、１ｋｍを５分で走る競技者は、１００ｍは３０秒かかり、４２．１９５ｋｍでは、３時間３０分で完走する（これが最多時間帯であり、競技者のほとんどは、このペースで走ることが多い）。
【００３９】
したがって、計測ポイントから１００ｍ離れた位置に定点カメラ２１を設置して、３０秒間撮影したとすると、最速で走るランナーでも１８秒間撮影されることになる（最も短い個人撮影時間が１８秒である）。各計測ポイントでの撮影映像中に１８秒間、個人が映っており、５ｋｍ毎にすべてのポイントの映像が入手できれば、競技者にとっては十分に有意な情報となりうる。
【００４０】
図９は映像記録装置の構成を示す図である。映像記録装置２は、定点カメラ２１と映像蓄積制御部２２から構成され、各地点に配置して、連続した長時間の記録を行う。
【００４１】
映像蓄積制御部２２は、ＭＰＥＧ２エンコーダ２２０、端末部２２１（パソコンに該当）、から構成される。端末部２２１は、１３９４Ｉ／Ｆ部２２１ａ、ＣＰＵ２２１ｂ、ＬＡＮ　Ｉ／Ｆ部２２１ｃ、ＨＤＤ２２１ｄ、ＵＳＢ　Ｉ／Ｆ部２２１ｅから構成される。
【００４２】
ＭＰＥＧ２エンコーダ２２０は、定点カメラ２１からの映像をリアルタイムにエンコードする。また、ＭＰＥＧ２エンコーダ２２０と端末部２２１は、ＩＥＥＥ１３９４インタフェースで接続し、端末部２２１は、１３９４Ｉ／Ｆ部２２１ａを通じて、エンコード映像であるＭＰＥＧ２データを受信する。
【００４３】
ＣＰＵ２２１ｂは、ＭＰＥＧ２データをＨＤＤ２２１ｄに蓄積したり、ＬＡＮ　Ｉ／Ｆ部２２１ｃ経由で外部ＰＣ（パソコン）からのＨＤＤ２２１ｄへのアクセス制御などを行う。また、映像の検索機能も含む。ＵＳＢ　Ｉ／Ｆ部２２１ｅは、マウスやキーボード、モデム等の周辺機器をシリアル・インタフェースで接続する。
【００４４】
一方、上記の映像蓄積制御部２２は本発明の映像処理装置に該当する。映像蓄積制御部２２は、定点カメラ２１で撮影した動画像データであって、撮影タイミング情報（タイムスタンプ）を含む映像情報と、定点カメラ２１から所定距離内のポイントを被写体が通過した時刻情報及び被写体の識別情報が対応付けられた通過情報（計測タイム情報）と、を用いて動画像データの検索処理を行う。
【００４５】
ＣＰＵ２２１ｂは、時刻検索部と映像検索部の機能を有する。ＣＰＵ２２１ｂは、通過情報に対し、各競技者の識別情報に対応する時刻情報を検索する。そして、検索した時刻情報と所定のタイミング関係にある撮影タイミング情報に対応する動画像データを、ＨＤＤ２２１ｄに蓄積した映像情報から検索する。
【００４６】
図１０はＨＤＤ２２１ｄの蓄積データを示す図である。コース上の計測ポイントにおける映像撮影時間と、撮影した映像の蓄積データ量とを示している。３ＭｂｐｓでＭＰＥＧ２エンコードを行った場合、計測ポイント５ｋｍでは映像撮影時間は０．５ｈであり、そのときの蓄積データ量は０．７ＧＢである。また、計測ポイント４０ｋｍでは映像撮影時間は４．０ｈであり、そのときの蓄積データ量は５．６ＧＢである。現在、ＨＤＤは大容量化されており、図に示すような蓄積データ量に対し、市販のＨＤＤで対応可能である。
【００４７】
次に個人映像検索について図１１〜図２１を用いて説明する。図１１は競技者の撮影及び通過時間の測定を行っている図である。計測ポイントＰ１にタイム計測部３が設置され、その周辺に定点カメラ２１を設置する。そして、競技者が定点カメラ２１に向かってくる方向を撮影している。図では、コース上を９人の競技者が走っており、計測ポイントＰ１をレースＮＯ．２００２の競技者が通過している様子が示されている。
【００４８】
図１２、図１３は計測タイム情報とタイムスタンプとの関連付けを示す図である。計測ポイント通過時の各競技者のレースＮＯ．及び通過時間と、映像データとを示している。
【００４９】
例えば、レースＮＯ．１００１の競技者が計測ポイントＰ１を通過したときの通過時間は００：００：０１であり、レースＮＯ．２００２の競技者が計測ポイントＰ１を通過したときの通過時間は００：００：０５である。また、映像データに対しては、計測ポイントＰ１で撮影した映像データをパケット単位で示している。１パケットは０．５ｓで、パケットヘッダとＧＯＰ（Ｇｒｏｕｐ　Ｏｆ　Ｐｉｃｔｕｒｅ）から構成される。
【００５０】
ここで、計測ポイントＰ１で００：００：００から撮影を開始した映像データと、各競技者の通過時間との関連付けについて説明する。例えば、レースＮＯ．２００２の競技者に対し、計測ポイントＰ１の通過時間は、００：００：０５であり、１パケットは０．５ｓであるから、計測ポイントＰ１に向けて撮影を開始した映像データから１０パケット目のパケットが、レースＮＯ．２００２の競技者が計測ポイントＰ１をほぼ通過している映像になる（正確には、１０パケット目のパケットは、計測ポイントＰ１の０．５秒前から通過時までの映像である）。
【００５１】
そして、このパケットのタイムスタンプは００１０であるから（通過時間００：００：０５とタイムスタンプ００１０が対応）、タイムスタンプ００１０のパケットと、さらにタイムスタンプ００１０よりも若い番号のパケットを抽出すれば、計測ポイントＰ１に向かって走ってくる、レースＮＯ．２００２の競技者の個人映像を取得することができる。
【００５２】
図１４は映像データの階層構造を示す図である。ＭＰＥＧの映像データは最上位の階層Ｌ１０がパックで構成される。階層Ｌ１１に対し、パックはパックヘッダ、システムヘッダ、パケットから構成される。階層Ｌ１２に対し、パケットはパケットヘッダとＧＯＰから構成される。階層Ｌ１３に対し、ＧＯＰはＧＯＰヘッダ、ピクチャから構成される。
【００５３】
さらに、階層Ｌ１４に対し、ピクチャは、ピクチャヘッダ、スライスから構成され、階層Ｌ１５に対し、スライスは、スライスヘッダとＭＢ（マクロブロック）から構成される。
【００５４】
次に映像検索・編集部４において、個人映像を検索する際に用いるインデックスファイルについて説明する。図１５はレースＮＯ．／チップＩＤ対応テーブルを示す図である。レースＮＯ．／チップＩＤ対応テーブルＴ１は、各競技者のレースＮＯ．と、競技者に装着させた計測チップのＩＤとの対応付けを示すテーブルである。このテーブルＴ１から、例えば、レースＮＯ．００１の競技者は、チップＩＤがＡＡＡの計測チップを装着して、競技していることがわかる。
【００５５】
図１６〜図１９は計測タイムテーブルを示す図である。計測タイムテーブルＴ２−１〜Ｔ２−３、Ｔ２−１０は、各計測ポイントに対する通過時間が記されたテーブルであり、チップＩＤ、計測ポイント、通過時間の項目から構成される。
【００５６】
例えば、図１６の計測タイムテーブルＴ２−１は、スタート地点の各競技者の通過時間を示しており、チップＩＤがＧＧＧの競技者は、スタート地点を００：０３：００に出発している。また、図１９の計測タイムテーブルＴ２−１０は、ゴール地点の各競技者の通過時間を示しており、チップＩＤがＧＧＧの競技者は、０４：２４：１０にゴールしている。
【００５７】
次に映像検索・編集部４における、通過時間からタイムスタンプＮＯ．（タイムスタンプＮＯ．は後述のインデックスファイルで使用する）への変換処理について説明する。映像検索・編集部４は、競技のスタート時刻と通過時間を加算して、通過時刻を生成し、通過時刻に符号付きの取得開始時間を加算し、差分値（加算値）に任意の整数値を対応させたものをタイムスタンプＮＯ．とする。
【００５８】
例えば、スタート時刻が１２：００：００とした場合、チップＩＤ＝ＧＧＧの競技者のスタート地点通過時の通過時間は図１６により００：０３：００であるから、通過時刻は１２：０３：００（＝１２：００：００＋００：０３：００）である。そして、スタート地点において、映像撮影開始時刻を例えば、１分前（マイナス１分である）とした場合、チップＩＤ＝ＧＧＧの競技者のスタート地点における差分値は１２：０２：００（＝１２：０３：００−００：０１：００）となる。そして、この差分値に任意の整数値を対応させたものが、タイムスタンプＮＯ．となり、タイムスタンプＮＯ．を用いて、検索処理を行うことになる。
【００５９】
図２０、図２１はインデックスファイルとＭＰＥＧ２データ上の位置関係を示す図である。インデックスファイルは、タイムスタンプＮＯ．と、開始ポイントと、終了ポイントとの項目から構成され、各計測ポイント毎に存在する。図のインデックスファイルＴ３−１はスタート地点のものであり、インデックスファイルＴ３−２は５ｋｍ地点のものを示している。
【００６０】
インデックスファイル内の開始ポイントは、該当タイムスタンプＮＯ．における映像撮影開始ポイントのことであり、終了ポイントは、該当タイムスタンプＮＯ．における映像撮影終了ポイントのことである。図では、開始ポイントから終了ポイントまでの映像データは３０ｓ間のデータとしている。
【００６１】
ここで、チップＩＤ＝ＧＧＧの競技者のスタート地点における通過時間から、上述したやり方で算出したタイムスタンプＮＯ．が、タイムスタンプＮＯ．３０とする。映像データＡ（スタート地点の映像）内のタイムスタンプＮＯ．３０に対応する映像は、３番目のタイムスタンプ＝２０の映像データＡ１となる。
【００６２】
また、チップＩＤ＝ＧＧＧの競技者の５ｋｍ地点における通過時間から、上述したやり方で算出したタイムスタンプＮＯ．が、タイムスタンプＮＯ．１０とする。映像データＢ（５ｋｍ地点の映像）内のタイムスタンプＮＯ．１０に対応する映像は、１番目のタイムスタンプ＝０の映像データＢ１となる。
【００６３】
以降、同様にして、各地点におけるインデックスファイルを作成し、インデックスファイル上で競技者を検索して、各地点の該当の映像データを切り出して取得する。そして、最終的に、共通映像と共に切り出した映像データを、ＣＤ−Ｒなどに書き込んで、個人特定の映像媒体を作成する。
【００６４】
なお、実際は通過時刻は秒単位で計測しているので、インデックスファイルのタイムスタンプの刻みは秒単位になる。
このように、本発明では、タイムスタンプとＭＰＥＧ２データファイル上の位置関係を示すインデックスファイルを作成して検索する構成とした。このインデックスファイルを作成するときには、映像データのスキャンを１回行う必要があるが、その後の特定の競技者個人を検索する場合には、映像データ上ではなくインデックスファイル上で検索を行うことになるので、効率よく高速に検索を行うことが可能になる（映像検索処理時間を１／１０程度に短縮することを確認した）。
【００６５】
次に映像取得設定ファイルについて図２２〜図２８を用いて説明する。映像取得設定ファイルとは、映像の編集パラメータとして、映像撮影ポイント、計測ポイント、映像の取得開始時間／取得時間、の少なくとも１つを有して、これらの内容が異なる映像ファイルを取得するためのファイルであり、この映像取得設定ファイルにより、すべての競技参加者に対して画一的な映像ではなく、それぞれの個人に対して、多様な映像を提供することが可能になる。
【００６６】
映像取得設定ファイルは、撮影地点ＮＯ．に対応するオフセット時間と、特定の映像を切り取る（編集）する際の映像条件情報との情報を持つ。図２２は撮影地点ＮＯ．とオフセット時間との対応テーブルを示す図である。テーブルＴ４は、撮影地点ＮＯ．とオフセット時間（各地点における撮影開始時間）の項目から構成される。例えば、地点＃Ｂではオフセット時間（撮影開始時間）が００：１５：００となっている。
【００６７】
一方、映像条件情報は、映像ファイルＮＯ．、撮影地点ＮＯ．、計測ポイントＮＯ．、取得開始時間、取得時間の項目から構成される。図２３〜図２６は映像条件情報に対する撮影状態を示す図である。
【００６８】
図２３の映像条件情報は、映像ファイルＮＯ．＝Ｆ１、撮影地点ＮＯ．＝＃Ａ、計測ポイントＮＯ．＝Ｐ１、取得開始時間（ｓ）＝０、取得時間（ｓ）＝１８０となっている。この場合の撮影状態は、計測ポイントＰ１周辺に定点カメラ２１−１が置かれて、取得開始時間が０ｓで、取得時間が１８０ｓであるので、撮影地点ＮＯ．＃Ａの映像を１８０ｓ間、取得することになる。
【００６９】
図２４の映像条件情報は、映像ファイルＮＯ．＝Ｆ２、撮影地点ＮＯ．＝＃Ｂ、計測ポイントＮＯ．＝Ｐ２、取得開始時間（ｓ）＝−１８０、取得時間（ｓ）＝３６０となっている。この場合の撮影状態は、計測ポイントＰ１周辺に定点カメラ２１−２が置かれて、取得開始時間が−１８０で、取得時間が３６０ｓであるので、撮影地点ＮＯ．２＃Ｂの映像を１８０ｓ間、取得することになる。
【００７０】
図２５の映像条件情報は、映像ファイルＮＯ．＝Ｆ３、撮影地点ＮＯ．＝＃Ｃ、計測ポイントＮＯ．＝Ｐ３、取得開始時間（ｓ）＝−３６０、取得時間（ｓ）＝１８０となっている。この場合の撮影状態は、計測ポイントＰ３周辺に定点カメラ２１−３が置かれて、取得開始時間が−３６０ｓで、取得時間が１８０ｓであるので、撮影地点ＮＯ．＃Ｃの映像を１８０ｓ間、取得することになる。
【００７１】
図２６の映像条件情報は、映像ファイルＮＯ．＝Ｆ４、撮影地点ＮＯ．＝＃Ｄ、計測ポイントＮＯ．＝Ｐ４、取得開始時間（ｓ）＝−１８０、取得時間（ｓ）＝１８０となっている。この場合の撮影状態は、計測ポイントＰ４周辺に定点カメラ２１が置かれて、取得開始時間が−１８０ｓで、取得時間が１８０ｓであるので、撮影地点ＮＯ．＃Ｄの映像を１８０ｓ間、取得することになる。
【００７２】
図２７は映像取得設定ファイルのフォーマット例を示す図である。映像取得設定ファイルｆ１０はテキスト形式であり、フォーマットの詳細について、以下の（１）〜（１２）に示す。
（１）先頭が＃の行はコメント行として読み飛ばされる
（２）識別子として、ファイルの先頭に”ＭＡＲＳ＿Ｓ＿ＦＩＬＥ”と記述する。この記述の無いファイルは無効とする。ファイルの途中または最後に記述されていても無効となる。
（３）地点オフセット記述部ｆ１１は、“ＯＦＦＳＥＴ”と“／ＯＦＦＳＥＴ”で挟むこと。“ＯＦＦＳＥＴ”と“／ＯＦＦＳＥＴ”の間に余計な文字列を記述してはならない。ただし、＃で始まるコメント行は記述してもよい。　
（４）地点オフセット記述部ｆ１１において、オフセットはｈｈ：ｍｍ：ｓｓ（ｈは時間、ｍは分、ｓは秒、区切りはコロン）のフォーマットのみ有効であり、その他の形式は無効である。
（５）地点オフセット記述部ｆ１１において、１行には１地点分のデータのみ記述される。また、１地点分のデータを２行以上に渡って記述してはならない。　
（６）映像条件情報記述部ｆ１２は、“ＳＥＴＴＩＮＧ”と“／ＳＥＴＴＩＮＧ”で挟むこと。“ＳＥＴＴＩＮＧ”と“／ＳＥＴＴＩＮＧ”の間に余計な文字列を記述してはならない。ただし、＃で始まるコメント行は記述してもよい。
（７）映像条件情報記述部ｆ１２において、映像条件情報は（映像ファイルＮＯ．）、（撮影地点ＮＯ．）、（計測ポイントＮＯ．）、（取得開始時間）、（取得時間）であり、“，（カンマ）”によってデータの区切りとする。　
（８）映像条件情報記述部ｆ１２について、取得開始時間の数値に＋、−の記述が無い場合は＋とみなす。
（９）映像条件情報記述部ｆ１２において、取得開始時間、取得時間の単位は秒である。
（１０）映像条件情報記述部ｆ１２において、１行には１画像分のデータのみ記述される。また、１画像分のデータを２行以上に渡って記述してはならない。
（１１）映像条件情報記述部ｆ１２において、地点オフセット記述部ｆ１１の撮影地点ナンバに無い撮影地点ナンバが記述されていた場合は、無効とする。
（１２）映像条件情報記述部ｆ１２について、存在しない計測ポイントナンバが記述されていた場合は無効とする。
【００７３】
図２８は映像取得設定ファイルを使用した個人映像編集処理の一例を示す図である。図は経過時間、地点毎の映像データ、映像取得設定ファイルにより編集した映像ファイルを示している。
【００７４】
スタート地点＃Ａにおけるスタート時刻から００：１５：００までの映像データＦ１（ＯＦＦＳＥＴ＝００：００：００の映像データ）に対し、取得開始時間がスタート時刻であり（地点＃Ａの計測タイムから０秒）、取得時間が１８０秒の映像データを、映像ファイルＮＯ．Ｆ１０として切り出している。
【００７５】
地点＃Ｂにおける経過時間００：１５：００からの映像データＦ２（ＯＦＦＳＥＴ＝００：１５：００の映像データ）に対し、取得開始時間が地点＃Ｂの計測タイムから−１８０秒であり、取得時間が取得開始時間から３６０秒の映像データを、映像ファイルＮＯ．Ｆ１１として切り出している。
【００７６】
このように、本発明では、撮影ポイント、計測ポイント、映像の取得開始時間／取得時間を指定する対応表である映像取得設定ファイルを作成することで、映像記録装置２及びタイム計測部３の設置パターンに対して、多様な映像編集を行うことが可能になる。
【００７７】
次に映像取得設定ファイルにより、１つの計測ポイントから複数の映像ファイルを取得する場合について説明する。図２３〜図２６では１つの計測ポイントに１台の定点カメラを配置して映像を撮影していることとしたが、撮影地点と計測ポイントとが１対１に固定的に対応すると、１つの計測通過時間から１台の定点カメラの映像しか抽出できず、カメラアングルが固定的になる等の弊害がある。このため、１つの計測ポイントに複数台の定点カメラを設置し、映像取得設定ファイルにより、１つの計測ポイントから複数の映像ファイルを編集できるようにする。
【００７８】
図２９は計測ポイントを中心に前後を２台の定点カメラでカバーする例を示す図である。図の撮影状態では、計測ポイントＰ１を中心に前後を２台の定点カメラ２１ａ、２１ｂを配置する。定点カメラ２１ａは、取得開始時間が−１８０ｓ、取得時間が１８０ｓであり、撮影地点ＮＯ．＃Ａの映像を１８０ｓ間取得する。定点カメラ２１ｂは、取得開始時間が０、取得時間が１８０ｓであり、撮影地点ＮＯ．＃Ｂの映像を１８０ｓ間取得する。
【００７９】
図３０は計測ポイントの前を２台の定点カメラでカバーする例を示す図である。図の撮影状態では、計測ポイントＰ２の前に定点カメラ２２ｃ、２２ｄを配置する。定点カメラ２２ｃは、取得開始時間が−３６０ｓ、取得時間が１８０ｓであり、撮影地点ＮＯ．＃Ｃの映像を１８０ｓ間取得する。定点カメラ２２ｄは、取得開始時間が−１８０ｓ、取得時間が１８０ｓであり、撮影地点ＮＯ．＃Ｄの映像を１８０ｓ間取得する。
【００８０】
図３１は映像条件情報を示す図である。図２９、図３０の配置に対応する映像取得設定ファイルの映像条件情報ｆ１０ａを示している。図２９、図３０のように映像記録装置２及びタイム計測部３を配置することで、１つの地点の個人の映像を大きく、長時間撮影することができ、また、図３１の映像条件情報ｆ１０ａを有する映像取得設定ファイルを作成することにより、１つの計測ポイントから複数の映像ファイルを関連付けることができる。
【００８１】
次に映像データの中に、通過時間に対応して、競技者を特定するための識別情報を挿入する場合について説明する。図３２は競技者の撮影及び通過時間の測定を行っている図である。図の構成は基本的には図１１と同じだが、異なる点は、計測タイム情報を映像データ中に取り込むための合成処理部２２１ｂ−１（ＣＰＵ２２１ｂによるソフトウェア機能である）を映像蓄積制御部２２ａに設けている点である。
【００８２】
図３３、図３４は映像データ中にレースＮＯ．が挿入されている様子を示す図である。例えば、レースＮＯ．１００１の識別情報が、対応するタイムスタンプ０００２のパケットの前に挿入されており、レースＮＯ．１００３の識別情報が、対応するタイムスタンプ０００４のパケットの前に挿入されている。
【００８３】
このように、映像データ中に競技者を特定するための識別情報（レースＮｏ、の他にチップＩＤや氏名でもよい）を直接挿入して記録することにより、識別情報にもとづいて検索処理（この検索処理では時間の概念をなくしている）を行うことができるので、高速検索が可能になる。
【００８４】
ここで、映像記録装置２を次の撮影ポイントに順次移動させながら個人映像の提供時期を早める場合の動作について説明する。図４、図５では、映像記録装置２は各地点に固定的に設置するものであった。この場合、トップでゴールを通過した競技者は、自分の映像を取得するまで４時間待たなければならない。したがって、映像記録装置２を次の撮影ポイントに順次移動させて（使い回して）、かつ、上記のような競技者の識別情報を映像データに直接挿入して、検索処理するやり方で、個人映像の提供時期を早めるようにする。
【００８５】
図３５、図３６は個人映像の提供時期を早める際の映像撮影時間を示す図である。図２、図３で示したマラソンコース上に配置した映像記録装置２−１〜２−１０で撮影する映像時間を示している。図３５、３６では映像記録装置２−１〜２−１０をａ〜ｊとして参照する。
【００８６】
スタート地点においては、レース先頭の競技者から最後尾の競技者までが通過し終わるのに１５分かかっている。映像記録装置ａは、先頭競技者が通過した時間から撮影を開始して、最後尾の競技者が通過し終わるまで１５分間撮影し、その後、映像データをファイル転送して（ファイル転送に１５分要している）、映像ファイルを作成する。
【００８７】
スタート地点における映像ファイルが作成したら、映像記録装置ａを１５ｋｍ地点に移動（運搬）する。映像記録装置ａを１５ｋｍ地点に移動させた時点（０１：３０：００）で、映像記録装置ｄ（１５ｋｍ地点にすでに配置されて、００：４５：００から撮影を開始している）の撮影を停止させる。
【００８８】
０１：３０：００の時刻で、映像記録装置ｄで撮影した映像データをファイル転送して（ファイル転送に１５分要している）、映像ファイルを作成し、かつスタート地点から運んできた映像記録装置ａで１５ｋｍ地点の撮影を開始する。
【００８９】
そして、映像記録装置ｄの１５ｋｍ地点の映像ファイルが作成したら、映像記録装置ｄは３０ｋｍ地点に運び、映像記録装置ａの１５ｋｍ地点の映像ファイルが作成したら、映像記録装置ａを２５ｋｍ地点に運ぶ。このようにして、各地点の映像記録装置を移動させると、先頭競技者からゴール地点を通過してから約１時間で先頭競技者の映像を提供することができる。
【００９０】
以上説明したように、本発明により、映像検索・編集のための検索用タグ付加処理などが不要になり、映像データがそろった段階から個人向けに専用映像媒体の提供を開始することができる。
【００９１】
また、本発明の効果として、少ない人数で素早く個人特化型の映像提供サービスが実施できること、専門知識を持ったスタッフが少数でよいこと、大会規模や予算に合わせて撮影ポイント数や記録時間及び提供媒体をスケーラブルに提供できること、個人映像編集の即時性により大会当日のみの作業ですべてが完了すること等が挙げられる。
【００９２】
（付記１）　移動物体を撮影し、映像の検索・編集処理を行う映像処理システムにおいて、
定点カメラと、前記定点カメラによって撮影された移動物体の映像を、撮影時間のタイムスタンプと共に蓄積する映像蓄積制御部と、から構成される映像記録装置と、
計測ポイントに配置して、移動物体の通過時間を計測し、移動物体の識別情報と通過時間とを含む計測タイム情報を蓄積するタイム計測部と、
前記計測タイム情報に、前記映像記録装置に蓄積された映像データの前記タイムスタンプを関連付けて、移動物体の映像を自動検索し、検索した移動物体の映像を編集する映像検索・編集部と、
を有することを特徴とする映像処理システム。
【００９３】
（付記２）　前記映像検索・編集部は、前記計測タイム情報から生成したタイムスタンプナンバを含むインデックスファイルを生成し、前記インデックスファイル上で映像データ内の特定の移動物体の検索を行うことを特徴とする付記１記載の映像処理システム。
【００９４】
（付記３）　前記映像検索・編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１記載の映像処理システム。
【００９５】
（付記４）　１つの計測ポイント周辺に複数の前記映像記録装置を配置して、前記映像検索・編集部は、前記映像取得設定ファイルを用いて、１つの計測ポイントにもとづいて、複数の映像ファイルを取得することを特徴とする付記３記載の映像処理システム。
【００９６】
（付記５）　前記映像記録装置は、映像データの中に、通過時間に対応して、移動物体を特定するための識別情報を挿入することを特徴とする付記１記載の映像処理システム。
【００９７】
（付記６）　定点カメラで撮影した動画像データであって、撮影タイミング情報を含む映像情報と、前記定点カメラから所定距離内のポイントを被写体が通過した時刻情報及び前記被写体の識別情報が対応付けられた通過情報と、を用いて、動画像データの検索処理を行う映像処理装置において、
前記通過情報に対し、識別情報に対応する時刻情報を検索する時刻検索部と、
検索した時刻情報と所定のタイミング関係にある前記撮影タイミング情報に対応する動画像データを前記映像情報から検索する映像検索部と、
を有することを特徴とする映像処理装置。
【００９８】
（付記７）　移動物体を撮影する映像記録装置において、
定点カメラと、
前記定点カメラによって撮影された移動物体の映像を、撮影時間のタイムスタンプと共に蓄積する映像蓄積制御部と、
を有することを特徴とする映像記録装置。
【００９９】
（付記８）　前記映像蓄積制御部は、映像データの中に、移動物体の通過時間に対応して、移動物体を特定するための識別情報を挿入することを特徴とする付記７記載の映像記録装置。
【０１００】
（付記９）　映像の検索・編集処理を行う映像検索・編集装置において、
移動物体の識別情報と通過時間とを含む計測タイム情報に、蓄積された映像データのタイムスタンプを関連付けて、移動物体の映像を自動検索する映像検索部と、　検索した移動物体の映像を編集する映像編集部と、
を有することを特徴とする映像検索・編集装置。
【０１０１】
（付記１０）　前記映像検索は、前記計測タイム情報から生成したタイムスタンプナンバを含むインデックスファイルを生成し、前記インデックスファイル上で映像データ内の特定の移動物体の検索を行うことを特徴とする付記９記載の映像検索・編集装置。
【０１０２】
（付記１１）　前記映像編集部は、映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記９記載の映像検索・編集装置。
【０１０３】
（付記１２）　前記映像編集部は、前記映像取得設定ファイルを用いて、１つの計測ポイントにもとづいて、複数の映像ファイルを取得することを特徴とする付記１１記載の映像検索・編集装置。
【０１０４】
（付記１３）　移動物体を撮影し、映像の検索・編集処理を行う映像処理方法において、
定点カメラによって移動物体を撮影し、
撮影時間のタイムスタンプと共に撮影した映像を蓄積し、
計測ポイントによる移動物体の通過時間を計測し、
移動物体の識別情報と通過時間とを含む計測タイム情報を蓄積し、
前記計測タイム情報に、蓄積された映像データの前記タイムスタンプを関連付けて、移動物体の映像を自動検索し、　検索した移動物体の映像を編集することを特徴とする映像処理方法。
【０１０５】
（付記１４）　前記計測タイム情報から生成したタイムスタンプナンバを含むインデックスファイルを生成し、前記インデックスファイル上で映像データ内の特定の移動物体の検索を行うことを特徴とする付記１３記載の映像処理方法。
【０１０６】
（付記１５）　映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１３記載の映像処理方法。
【０１０７】
（付記１６）　１つの計測ポイント周辺に複数の映像記録装置を配置して、前記映像取得設定ファイルを用いて、１つの計測ポイントにもとづいて、複数の映像ファイルを取得することを特徴とする付記１５記載の映像処理方法。
【０１０８】
（付記１７）　映像データの中に、通過時間に対応して、移動物体を特定するための識別情報を挿入することを特徴とする付記１３記載の映像処理方法。
（付記１８）　時間の経過と共に競技者の位置が移動するスポーツの映像を撮影して、競技者個人の撮影映像のファイルを作成するための映像処理を行うスポーツ映像処理方法において、
コース上の複数ポイントに、定点カメラを含む映像記録装置を設置して、コースの全域に渡ってすべての競技者を撮影し、
撮影時間のタイムスタンプと共に映像データを蓄積し、
コース上の複数ポイントに、計測ポイントを設けて、競技者の通過時間及び識別情報を含む計測タイム情報を蓄積し、
タイムスタンプを含む映像データから競技者の計測タイム情報にもとづいて、個人の計測ポイント周辺の映像を自動検索し、
個々の競技者の映像を編集して、映像媒体を作成することを特徴とするスポーツ映像処理方法。
【０１０９】
（付記１９）　前記計測タイム情報から生成したタイムスタンプナンバを含むインデックスファイルを生成し、前記インデックスファイル上で映像データ内の特定の競技者の検索を行うことを特徴とする付記１８記載のスポーツ映像処理方法。
【０１１０】
（付記２０）　映像の編集パラメータとして、映像撮影ポイント、計測ポイント、映像の取得開始時間／取得時間、の少なくとも１つを有し、多様な映像ファイルを取得するための映像取得設定ファイルを生成することを特徴とする付記１８記載のスポーツ映像処理方法。
【０１１１】
（付記２１）　１つの計測ポイント周辺に複数の前記映像記録装置を配置して、前記映像取得設定ファイルを用いて、１つの計測ポイントにもとづいて、複数の映像ファイルを取得することを特徴とする付記２０記載のスポーツ映像処理方法。
【０１１２】
（付記２２）　映像データの中に、通過時間に対応して、競技者を特定するための識別情報を挿入することを特徴とする付記１８記載のスポーツ映像処理方法。
【０１１３】
【発明の効果】
以上説明したように、本発明の映像処理システムは、定点カメラ及び撮影時間のタイムスタンプと共に撮影した映像を蓄積する映像蓄積制御部を含む映像記録装置と、移動物体の通過時間を計測して計測通過時間を蓄積するタイム計測部とを配置して、映像記録装置に蓄積された映像データのタイムスタンプに計測通過時間を関連付け、移動物体の映像を自動検索し、検索した移動物体の映像を編集して映像媒体を作成する構成とした。これにより、移動物体映像の検索・編集を高速に効率よく行うことができ、映像管理、操作性及びサービス品質の向上を図ることが可能になる。
【図面の簡単な説明】
【図１】本発明の映像処理システムの原理図である。
【図２】映像処理システムの全体構成図である。
【図３】映像処理システムの全体構成図である。
【図４】映像の撮影時間を示す図である。
【図５】映像の撮影時間を示す図である。
【図６】本発明の概略動作を示すフローチャートである。
【図７】定点カメラの設置位置を示す図である。
【図８】図７をＡ方向から見た図である。
【図９】映像記録装置の構成を示す図である。
【図１０】ＨＤＤの蓄積データを示す図である。
【図１１】競技者の撮影及び通過時間の測定を行っている図である。
【図１２】計測タイム情報とタイムスタンプとの関連付けを示す図である。
【図１３】計測タイム情報とタイムスタンプとの関連付けを示す図である。
【図１４】映像データの階層構造を示す図である。
【図１５】レースＮＯ．／チップＩＤ対応テーブルを示す図である。
【図１６】計測タイムテーブルを示す図である。
【図１７】計測タイムテーブルを示す図である。
【図１８】計測タイムテーブルを示す図である。
【図１９】計測タイムテーブルを示す図である。
【図２０】インデックスファイルとＭＰＥＧ２データ上の位置関係を示す図である。
【図２１】インデックスファイルとＭＰＥＧ２データ上の位置関係を示す図である。
【図２２】撮影地点ＮＯ．とオフセット時間との対応テーブルを示す図である。
【図２３】映像条件情報に対する撮影状態を示す図である。
【図２４】映像条件情報に対する撮影状態を示す図である。
【図２５】映像条件情報に対する撮影状態を示す図である。
【図２６】映像条件情報に対する撮影状態を示す図である。
【図２７】映像取得設定ファイルのフォーマット例を示す図である。
【図２８】映像取得設定ファイルを使用した個人映像編集処理の一例を示す図である。
【図２９】計測ポイントを中心に前後を２台の定点カメラでカバーする例を示す図である。
【図３０】計測ポイントの前を２台の定点カメラでカバーする例を示す図である。
【図３１】映像条件情報を示す図である。
【図３２】競技者の撮影及び通過時間の測定を行っている図である。
【図３３】映像データ中にレースＮＯ．が挿入されている様子を示す図である。
【図３４】映像データ中にレースＮＯ．が挿入されている様子を示す図である。
【図３５】個人映像の提供時期を早める際の映像撮影時間を示す図である。
【図３６】個人映像の提供時期を早める際の映像撮影時間を示す図である。
【符号の説明】
１　映像処理システム
２−１〜２−ｎ　映像記録装置
２１−１〜２１−ｎ　定点カメラ
２２−１〜２２−ｎ　映像蓄積制御部
３−１〜３−ｎ　タイム計測部
４　映像検索・編集部


【手続補正２】
【補正対象書類名】図面
【補正対象項目名】図１７
【補正方法】変更
【補正の内容】
【図１７】
2004112153.tif 000039
【手続補正３】
【補正対象書類名】図面
【補正対象項目名】図１８
【補正方法】変更
【補正の内容】
【図１８】
2004112153.tif 000040
【手続補正４】
【補正対象書類名】図面
【補正対象項目名】図１９
【補正方法】変更
【補正の内容】
【図１９】
2004112153.tif 000041
【手続補正５】
【補正対象書類名】図面
【補正対象項目名】図２３
【補正方法】変更
【補正の内容】
【図２３】
2004112153.tif 000042
【手続補正６】
【補正対象書類名】図面
【補正対象項目名】図２４
【補正方法】変更
【補正の内容】
【図２４】
2004112153.tif 000043
【手続補正７】
【補正対象書類名】図面
【補正対象項目名】図２５
【補正方法】変更
【補正の内容】
【図２５】
2004112153.tif 000044
【手続補正８】
【補正対象書類名】図面
【補正対象項目名】図２６
【補正方法】変更
【補正の内容】
【図２６】
2004112153.tif 000045
【手続補正９】
【補正対象書類名】図面
【補正対象項目名】図２７
【補正方法】変更
【補正の内容】
【図２７】
2004112153.tif 000046
【手続補正１０】
【補正対象書類名】図面
【補正対象項目名】図２８
【補正方法】変更
【補正の内容】
【図２８】
2004112153.tif 000047
【手続補正１１】
【補正対象書類名】図面
【補正対象項目名】図３１
【補正方法】変更
【補正の内容】
【図３１】
2004112153.tif 000048